(57)【要約】  本願の実施形態は、通信方法および通信装置を提供する。本方法は、端末により、ネットワークデバイスによって送信された構成情報を受信するステップであって、構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、端末により、構成情報によって示されたリソースに関する共通制御情報を受信するステップと、を含む。本願で提供される通信方法および通信装置は、リソース構成の柔軟性を向上させることができる。
2020505888.tif 000002
【特許請求の範囲】
【請求項１】
通信方法であって、
端末により、ネットワークデバイスによって送信された構成情報を受信するステップであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
前記端末により、前記構成情報によって示された前記リソースに関する共通制御情報を受信するステップと、
を含む方法。
【請求項２】
端末により、ネットワークデバイスによって送信された構成情報を受信する前記ステップは、
前記端末により、前記ネットワークデバイスによって送信されたマスタシステム情報ブロック（MIB）メッセージを受信するステップであって、前記MIBメッセージは前記構成情報を含む、ステップ
を含む、請求項1に記載の方法。
【請求項３】
前記共通制御情報は、システムメッセージブロック（SIB）、ランダムアクセス応答（RAR）、およびページングメッセージのうちの少なくとも1つの構成情報を含む、請求項1または2に記載の方法。
【請求項４】
前記構成情報は、前記候補リソースのインデックスを含む、請求項1から3のいずれか一項に記載の方法。
【請求項５】
前記構成情報は、前記リソースの周波数領域リソース開始値を示すために使用される、請求項1から4のいずれか一項に記載の方法。
【請求項６】
前記共通制御情報はダウンリンク制御情報（DCI）を含み、前記DCIは、伝送単位のフォーマットを示すために使用され、および／または前記伝送単位内の物理ダウンリンク制御領域内のシンボルの量を示すために使用される、請求項1から5のいずれか一項に記載の方法。
【請求項７】
前記共通制御情報はダウンリンク制御情報（DCI）を含み、前記DCIは構成情報を含み、前記構成情報はシステム帯域幅を示すために使用される、請求項1から6のいずれか一項に記載の方法。
【請求項８】
前記端末により、前記システム帯域幅を使用することによって通信するステップ
をさらに含む、請求項7に記載の方法。
【請求項９】
通信方法であって、
ネットワークデバイスにより、構成情報を送信するステップであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
前記ネットワークデバイスにより、前記構成情報によって示された前記リソースに関する共通制御情報を送信するステップと、
を含む方法。
【請求項１０】
ネットワークデバイスにより、構成情報を送信する前記ステップは、
前記ネットワークデバイスにより、マスタシステム情報ブロック（MIB）メッセージを送信するステップであって、前記MIBメッセージは前記構成情報を含む、ステップ
を含む、請求項9に記載の方法。
【請求項１１】
前記共通制御情報は、システムメッセージブロック（SIB）、ランダムアクセス応答（RAR）、およびページングメッセージのうちの少なくとも1つの構成情報を含む、請求項9または10に記載の方法。
【請求項１２】
前記構成情報は、前記候補リソースのインデックスを含む、請求項9から11のいずれか一項に記載の方法。
【請求項１３】
前記構成情報は、前記リソースの周波数領域リソース開始値を示すために使用される、請求項9から12のいずれか一項に記載の方法。
【請求項１４】
前記共通制御情報はダウンリンク制御情報（DCI）を含み、前記DCIは、伝送単位のフォーマットを示すために使用され、および／または前記伝送単位内の物理ダウンリンク制御領域内のシンボルの量を示すために使用される、請求項9から13のいずれか一項に記載の方法。
【請求項１５】
前記共通制御情報はダウンリンク制御情報（DCI）を含み、前記DCIは構成情報を含み、前記構成情報はシステム帯域幅を示すために使用される、請求項9から14のいずれか一項に記載の方法。
【請求項１６】
端末上に位置する通信装置であって、
ネットワークデバイスによって送信された構成情報を受信するように構成された第1の受信モジュールであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、第1の受信モジュールと、
前記構成情報によって示された前記リソースに関する共通制御情報を受信するように構成された第2の受信モジュールと、
を含む装置。
【請求項１７】
前記第1の受信モジュールは、前記ネットワークデバイスによって送信されたマスタシステム情報ブロック（MIB）メッセージを受信するように構成され、前記MIBメッセージは前記構成情報を含む、請求項16に記載の装置。
【請求項１８】
前記共通制御情報は、システムメッセージブロック（SIB）、ランダムアクセス応答（RAR）、およびページングメッセージのうちの少なくとも1つの構成情報を含む、請求項16または17に記載の装置。
【請求項１９】
前記構成情報は、前記候補リソースのインデックスを含む、請求項16から18のいずれか一項に記載の装置。
【請求項２０】
前記構成情報は、前記リソースの周波数領域リソース開始値を示すために使用される、請求項16から19のいずれか一項に記載の装置。
【請求項２１】
前記共通制御情報はダウンリンク制御情報（DCI）を含み、前記DCIは、伝送単位のフォーマットを示すために使用され、および／または前記伝送単位内の物理ダウンリンク制御領域内のシンボルの量を示すために使用される、請求項16から20のいずれか一項に記載の装置。
【請求項２２】
前記共通制御情報はダウンリンク制御情報（DCI）を含み、前記DCIは構成情報を含み、前記構成情報はシステム帯域幅を示すために使用される、請求項16から21のいずれか一項に記載の装置。
【請求項２３】
前記システム帯域幅を使用することによって通信するように前記端末をトリガするように構成されたトリガモジュール
をさらに含む、請求項22に記載の装置。
【請求項２４】
ネットワークデバイス上に位置する通信装置であって、
構成情報を送信するように構成された第1の送信モジュールであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、第1の送信モジュールと、
前記構成情報によって示された前記リソースに関する共通制御情報を送信するように構成された第2の送信モジュールと、
を含む装置。
【請求項２５】
前記第1の送信モジュールは、マスタシステム情報ブロック（MIB）メッセージを送信するように構成され、前記MIBメッセージは前記構成情報を含む、請求項24に記載の装置。
【請求項２６】
前記共通制御情報は、システムメッセージブロック（SIB）、ランダムアクセス応答（RAR）、およびページングメッセージのうちの少なくとも1つの構成情報を含む、請求項24または25に記載の装置。
【請求項２７】
前記構成情報は、前記候補リソースのインデックスを含む、請求項24から26のいずれか一項に記載の装置。
【請求項２８】
前記構成情報は、前記リソースの周波数領域リソース開始値を示すために使用される、請求項24から27のいずれか一項に記載の装置。
【請求項２９】
前記共通制御情報はダウンリンク制御情報（DCI）を含み、前記DCIは、伝送単位のフォーマットを示すために使用され、および／または前記伝送単位内の物理ダウンリンク制御領域内のシンボルの量を示すために使用される、請求項24から28のいずれか一項に記載の装置。
【請求項３０】
前記共通制御情報はダウンリンク制御情報（DCI）を含み、前記DCIは構成情報を含み、前記構成情報はシステム帯域幅を示すために使用される、請求項24から29のいずれか一項に記載の装置。
【発明の詳細な説明】
【技術分野】
【０００１】
本願は、2017年1月25日に中国特許庁に提出された「COMMUNICATION METHOD AND COMMUNICATIONS APPARATUS」という名称の中国特許出願第201710061338.1号の優先権を主張するものであり、上記中国特許出願の全体が参照により本明細書に組み込まれる。
【０００２】
本願の実施形態は、通信技術に関し、特に、通信方法および通信装置に関する。
【背景技術】
【０００３】
無線通信技術の発展と共に、無線ネットワークのピークレートおよびシステム帯域幅などの性能は継続的に改善され、ユーザにより良いサービスエクスペリエンスをもたらす。このように、無線通信はより広く応用されている。無線通信用途が広がるにつれて、無線ネットワークはより多くの用途シナリオを有する。そのため、リソースをより柔軟に構成する必要がある。
【発明の概要】
【課題を解決するための手段】
【０００４】
本願の実施形態は、リソース構成の柔軟性を向上させるための通信方法および通信装置を提供する。
【０００５】
第1の態様によれば、本願は通信方法を提供し、本方法は、
端末により、ネットワークデバイスによって送信された構成情報を受信するステップであって、構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
端末により、構成情報によって示されたリソースに関する共通制御情報を受信するステップと、
を含む。
【０００６】
セル識別情報は、セルについて半静的または静的に構成された識別情報であってもよく、例えば、物理セル識別子（Physical Cell Identifier、PCI）であってもよい。もちろん、セル識別情報は代替的に別の方法で決定されてもよい。例えば、2つのセルが地理的に近く、2つのセルからの基準信号が準同一位置にある（Quasi-Co-Located、QCL）場合、2つのセルは同じ共通セル識別情報を使用してもよい。この場合、基準信号がQCLであるということは、基準信号が、ドップラーシフト、ドップラースプレッド、平均遅延、または時間領域スプレッドなどの情報の少なくとも1つの大規模フェージング特性において類似していることを示す。したがって、セル識別情報は、ネットワークデバイス間のネゴシエーションの結果に応じて代替的に決定されてもよい。ネゴシエーションを介してセル識別情報を取得した後に、ネットワークデバイスは、物理レイヤシグナリング、ブロードキャストシグナリング、または上位レイヤシグナリングを使用することによって、ネゴシエーション後に取得したセル識別情報をセル内の端末に配信することができる。
【０００７】
さらに、ダウンリンク帯域幅は、予め定義された帯域幅のサブバンド帯域幅であってもよいし、または全システム帯域幅であってもよい。
【０００８】
本願の第1の態様で提供される通信方法では、端末は、ネットワークデバイスによって送信された構成情報を受信し、構成情報によって示されるリソースに関する共通制御情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、端末が構成情報によって示されたリソースに関する共通制御情報を受信することを可能にするので、共通探索空間を決定する方法はより柔軟になり得る。
【０００９】
任意選択で、端末により、ネットワークデバイスによって送信された構成情報を受信するステップは、端末により、ネットワークデバイスによって送信されたマスタシステム情報ブロックMIBメッセージを受信するステップを含む。MIBメッセージは構成情報を含む。
【００１０】
共通探索空間の複数の候補リソース内のリソースを示すために使用される構成情報を決定した後に、ネットワークデバイスは、MIBメッセージに構成情報を追加し、MIBメッセージを端末に送信することができ、例えば、MIBのcss-Configフィールドを使用して構成情報を示すことができる。さらに、ネットワークデバイスは、MIBメッセージを用いて構成情報を指示する場合、MIB内のlog2Mの長さを有するcss-Configフィールドを用いて構成情報を示す。Mは共通探索空間の候補リソースの量である。
【００１１】
任意選択で、共通制御情報は、システムメッセージブロック（System Information Block、SIB）、ランダムアクセス応答（Random Access Response、RAR）、およびページングメッセージのうちの少なくとも1つの構成情報を含む。
【００１２】
任意選択で、構成情報は候補リソースのインデックスを含む。
【００１３】
任意選択で、構成情報は、リソースの周波数領域リソース開始値を示すために使用される。
【００１４】
周波数領域リソース開始値は、周波数領域リソース開始位置または周波数領域リソースオフセットであり、例えば、最も低いPRBインデックスであってもよい。
【００１５】
任意選択で、共通制御情報はダウンリンク制御情報（Downlink Control Information、DCI）を含み、DCIは伝送単位のフォーマットを示すために使用され、および／または伝送単位内の物理ダウンリンク制御領域内のシンボルの量を示すために使用される。
【００１６】
伝送単位は、時間領域構造であり、サブフレーム、スロット、ミニスロット、集約スロット、集約ミニスロットなどであってもよい。伝送単位のフォーマットは、伝送単位内のダウンリンク制御領域、ダウンリンクデータ領域、アップリンクデータ領域、およびアップリンク制御領域をどのように配置するかということである。伝送単位のフォーマットには、以下のうちの1つまたは複数を含むことができる。（1）全ダウンリンク：ダウンリンク制御領域およびダウンリンクデータ領域を含む、あるいはダウンリンクデータ領域のみを含む、（2）ダウンリンク優位：ダウンリンク制御領域、ダウンリンクデータ領域、およびアップリンク制御領域を含む、あるいはダウンリンクデータ領域およびアップリンク制御領域を含む、（3）アップリンク優位：ダウンリンク制御領域、アップリンクデータ領域、およびアップリンク制御領域を含む、あるいはダウンリンク制御領域およびアップリンクデータ領域を含む、（4）全アップリンク：アップリンクデータ領域およびアップリンク制御領域を含む、あるいはアップリンクデータ領域のみを含む、あるいはアップリンク制御領域のみを含む。
【００１７】
さらに、伝送単位のフォーマットを示すため、および／または伝送単位の物理ダウンリンク制御領域内のシンボルの量を示すために使用されるDCIについて、以下のいくつかの場合が発生し得る。（1）DCIは、伝送単位のフォーマットのみを示すために使用される、（2）DCIは、伝送単位内の物理ダウンリンク制御領域内のシンボルの量のみを示すために使用される、（3）DCIは、伝送単位のフォーマットを示すために使用され、伝送単位内の物理ダウンリンク制御領域内のシンボルの量を示すために使用される。
【００１８】
任意選択で、共通制御情報はDCIを含み、DCIは構成情報を含み、構成情報はシステム帯域幅を示すために使用される。
【００１９】
具体的には、ネットワークデバイスは、ネットワーク内のデータサービスの量に基づいてシステム帯域幅を決定することができる。例えば、ネットワーク内に比較的少量のデータサービスがある場合には、比較的小さいシステム帯域幅が使用され、ネットワーク内に比較的大量のデータサービスがある場合には、比較的大きなシステム帯域幅が使用される。システム帯域幅を決定した後に、ネットワークデバイスは、システム帯域幅を示すために使用される構成情報をDCIに追加し、DCIを端末に送信する。ネットワークデバイスによって示されたシステム帯域幅を受信した後に、端末は、システム帯域幅を使用することによって通信し、例えば、システム帯域幅に関するデータおよび制御情報を受信する。ネットワークデバイスはネットワーク内のデータサービスの量に基づいてシステム帯域幅を決定することができるので、システム帯域幅はより柔軟に決定され得る。
【００２０】
任意選択で、本方法は、端末により、システム帯域幅を使用することによって通信するステップをさらに含む。
【００２１】
具体的には、ネットワークデバイスによって示されたシステム帯域幅を受信した後に、端末は、システム帯域幅を使用することによって通信し、例えば、システム帯域幅に関するデータおよび制御情報を受信する。
【００２２】
第2の態様によれば、本願は通信方法を提供し、本方法は、
ネットワークデバイスにより、構成情報を送信するステップであって、構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
ネットワークデバイスにより、構成情報によって示されたリソースに関する共通制御情報を送信するステップと、
を含む。
【００２３】
共通探索空間の複数の候補リソースを決定した後に、ネットワークデバイスは、複数の候補リソースから1つまたは複数のリソースを選択し、1つまたは複数のリソースを端末に示す。さらに、ネットワークデバイスは、構成情報によって示されたリソースに関する共通制御情報を送信する。
【００２４】
本願の第2の態様で提供される通信方法では、ネットワークデバイスは構成情報を送信し、構成情報によって示されたリソースに関する共通制御情報を送信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、構成情報によって示されたリソースに関する共通制御情報を送信するので、共通探索空間を決定する方法はより柔軟になり得る。
【００２５】
任意選択で、ネットワークデバイスにより、構成情報を送信するステップは、ネットワークデバイスにより、MIBメッセージを送信するステップを含む。MIBメッセージは構成情報を含む。
【００２６】
共通探索空間の複数の候補リソースを決定した後に、ネットワークデバイスは、複数の候補リソースから1つまたは複数のリソースを選択し、MIBによって1つまたは複数のリソースを端末に示す。
【００２７】
任意選択で、共通制御情報は、SIB、RAR、およびページングメッセージのうちの少なくとも1つの構成情報を含む。
【００２８】
任意選択で、構成情報は候補リソースのインデックスを含む。
【００２９】
任意選択で、構成情報は、リソースの周波数領域リソース開始値を示すために使用される。
【００３０】
任意選択で、共通制御情報はDCIを含み、DCIは伝送単位のフォーマットを示すために使用され、および／または伝送単位内の物理ダウンリンク制御領域内のシンボルの量を示すために使用される。
【００３１】
任意選択で、共通制御情報はDCIを含み、DCIは構成情報を含み、構成情報はシステム帯域幅を示すために使用される。
【００３２】
第3の態様によれば、本願は通信方法を提供し、本方法は、
端末により、ネットワークデバイスによって送信された構成情報を受信するステップであって、構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される、ステップと、
端末により、周波数領域リソース開始値によって示されたリソース上の物理チャネルを受信するステップと、
を含む。
【００３３】
物理チャネルは、物理ダウンリンク制御チャネルPDCCHとは異なる新たな物理ダウンリンクチャネルであってもよいし、あるいはDCIであってもよい。物理チャネルの特定の形態は、本明細書ではこの実施形態において限定されない。周波数領域リソース開始値は、周波数領域リソースオフセットまたは周波数領域リソース開始位置とも呼ばれ、例えば、最も低いPRBインデックスであってもよい。さらに、伝送単位は、時間領域構造であり、サブフレーム、スロット、ミニスロット、集約スロット、集約ミニスロットなどである。
【００３４】
本願の第3の態様で提供される通信方法では、端末は、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。端末は、周波数領域リソース開始値によって示されるリソース上の物理チャネルを受信する。ネットワークデバイスは、物理チャネルの周波数領域リソース開始値を示すために使用される構成情報を端末に送信し、端末は、周波数領域リソース開始値によって示されるリソース上の物理チャネルを受信するので、物理チャネルがより柔軟に構成され得る。
【００３５】
任意選択で、端末により、ネットワークデバイスによって送信された構成情報を受信するステップは、ネットワークデバイスによって送信されたブロードキャストシグナリングまたは上位レイヤシグナリングを受信するステップを含む。ブロードキャストシグナリングまたは上位レイヤシグナリングは構成情報を含む。
【００３６】
ブロードキャストシグナリングは、例えば、MIBメッセージであってもよい。上位レイヤシグナリングは、例えば、SIBメッセージまたはユーザ固有の無線リソース制御（Radio Resource Control、RRC）メッセージであってもよい。ネットワークデバイスは、ブロードキャストシグナリングまたは上位レイヤシグナリングを使用することによって構成情報を端末に送信するので、いくらかのユーザが構成情報を検出することができる。
【００３７】
任意選択で、物理チャネルがマッピングされる周波数領域リソースは、セル識別情報および制御リソースサブセットに対応する帯域幅のうちの1つまたは複数に基づいて決定される。
【００３８】
セル識別情報は、セルについて半静的または静的に構成された識別情報であってもよく、例えば、PCIであってもよい。さらに、制御リソースサブセットは予め定義された帯域幅のサブバンド帯域幅であり、端末は制御リソースサブセット内のダウンリンク制御情報のブラインド検出を実行する。
【００３９】
任意選択で、物理チャネルがマッピングされる時間領域リソースは、伝送単位の第1のシンボルである。
【００４０】
任意選択で、制御リソースサブセットは共通ダウンリンク制御情報を送信するために使用され、共通ダウンリンク制御情報はシステムメッセージブロックSIB、ランダムアクセス応答RAR、およびページングメッセージのうちの少なくとも1つの構成情報を含む。
【００４１】
任意選択で、制御リソースサブセットは、ユーザグループ固有のダウンリンク制御情報および／またはユーザ固有のダウンリンク制御情報を送信するために使用される。
【００４２】
具体的には、物理チャネルは、共通探索空間／ユーザグループ固有の探索空間が位置する制御リソースサブセットにマッピングされるので、ユーザは共通探索空間を検出するときに物理チャネルを検出することができる。共通探索空間は共通ダウンリンク制御情報を送信するために使用され、セル内のすべてのユーザは共通ダウンリンク制御情報を受信する必要がある。ユーザグループ固有の探索空間は、ユーザグループ固有のダウンリンク制御情報を送信するために使用され、セル内の1人または複数のユーザは、ユーザグループ固有のダウンリンク制御情報を受信する必要がある。
【００４３】
さらに、制御リソースサブセットは、ユーザグループ固有のダウンリンク制御情報のみを送信するために使用されてもよいし、または、制御リソースサブセットは、ユーザ固有のダウンリンク制御情報のみを送信するために使用されてもよいし、または、制御リソースのサブセットは、ユーザグループ固有のダウンリンク制御情報およびユーザ固有のダウンリンク制御情報を送信するために使用されてもよい。任意選択で、周波数領域リソース開始値は、制御リソースサブセットに対応する最も低いPRBインデックスである。
【００４４】
任意選択で、物理チャネルをリソースにマッピングするステップは、物理チャネルに対応する情報ビットのチャネルコーディングを実行するステップと、コーディングしたビットをスクランブルするステップであって、スクランブリングシーケンスは、セル識別情報および伝送単位インデックスを使用することによって決定される、ステップと、スクランブルされたビットを変調するステップと、変調されたシンボルをリソースにマッピングするステップと、を含む。
【００４５】
具体的には、物理チャネルの物理レイヤ処理プロセスは、最初に、32ビットのコードワードを取得するために、物理チャネルに対応する情報ビット、例えば伝送単位構造の2ビットの指示情報に対して1／16のコードレートでチャネルコーディングを実行するステップと、次に、セル識別情報および伝送単位インデックスを使用することによって決定されたスクランブルシーケンスを使用することにより、32ビットコードワードをスクランブルするステップと、次に、16個の変調されたシンボルを取得するために、32ビットのスクランブルされたコードワードでQPSK変調を実行するステップと、16個の変調されたシンボルを、制御リソースサブセットが位置する周波数帯域にマッピングするするステップと、を含む。
【００４６】
任意選択で、リソースは、ダウンリンク制御チャネル上のK個の予め定義されたダウンリンク制御チャネル要素（Control Channel Element、CCE）に対応するリソース内にある。
【００４７】
任意選択で、K個のCCEはダウンリンク制御チャネルの最初のK個のCCEである。
【００４８】
具体的には、物理チャネルの有無がユーザによる制御チャネルのブラインド検出への影響を最小限に抑えることを保証するために、変調されたシンボルは、可能な限り、制御リソースサブセット内のいくつかの予め定義されたCCEにさらに集中的にマッピングされてもよい。
【００４９】
任意選択で、所与の伝送単位が物理チャネルを含まないことが端末に指示されない限り、物理チャネルに対応するCCEはダウンリンク制御情報を含まないと一般的に考えられる。
【００５０】
任意選択で、物理チャネルに対応する情報はダウンリンク制御情報であり、ダウンリンク制御情報はダウンリンク制御チャネルで搬送され、ダウンリンク制御情報はダウンリンク制御チャネルの共通探索空間および／またはユーザグループ探索空間に位置する。
【００５１】
任意選択で、物理チャネルに対応する情報はL個のCCEで搬送され、Lは予め定義された数であり、L個のCCEのうちの最も低いCCEインデックスは予め定義され、候補セットの数は1である。
【００５２】
任意選択で、最も低いCCEインデックスは、共通探索空間の最初のCCEのインデックスである。
【００５３】
任意選択で、CCEインデックスはユーザグループ探索空間の最初のCCEのインデックスである。
【００５４】
具体的には、物理チャネルが比較的大量の情報ビット（例えば、25ビット）を伝送する場合、物理チャネルは本質的に共通のDCIまたはユーザグループ固有のDCIである。この場合、ユーザによるブラインド検出の複雑さを軽減するために、物理チャネルはいくつかの予め定義された連続したCCEにマッピングされてもよい。ここでいう「予め定義された」とは、CCE量とCCEインデックスの両方が予め定義されていることを意味する。言い換えれば、情報を搬送するダウンリンク制御情報に使用される開始CCEは予め定義されており、集約レベルLは予め定義され、候補セットの数は1である。例えば、25ビットの情報は、最初のCCEから始まる制御リソースサブセットの4つのCCEにマッピングされる（集約レベルが4で、巡回冗長検査（Cyclic Redundancy Check）が24ビットであり、QPSK変調が実行されることが仮定される）。
【００５５】
第4の態様によれば、本願は通信方法を提供し、本方法は、
ネットワークデバイスにより、構成情報を送信するステップであって、構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される、ステップと、
ネットワークデバイスにより、周波数領域リソース開始値によって示されたリソース上の物理チャネルを送信するステップと、
を含む。
【００５６】
本願の第4の態様で提供される通信方法では、ネットワークデバイスは構成情報を送信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。ネットワークデバイスは、周波数領域リソース開始値によって示されるリソース上の物理チャネルを送信する。ネットワークデバイスは、物理チャネルの周波数領域リソース開始値を示すために使用される構成情報を端末に送信し、周波数領域リソース開始値によって示されるリソース上の物理チャネルを送信するので、物理チャネルがより柔軟に構成され得る。
【００５７】
任意選択で、ネットワークデバイスにより、構成情報を送信するステップは、ネットワークデバイスにより、ブロードキャストシグナリングまたは上位レイヤシグナリングを送信するステップを含む。ブロードキャストシグナリングまたは上位レイヤシグナリングは構成情報を含む。
【００５８】
ブロードキャストシグナリングは、例えば、MIBメッセージであってもよい。上位レイヤシグナリングは、例えば、SIBメッセージまたはユーザ固有のRRCメッセージであってもよい。ネットワークデバイスは、ブロードキャストシグナリングまたは上位レイヤシグナリングを使用することによって構成情報を端末に送信するので、いくらかのユーザが構成情報を検出することができる。
【００５９】
任意選択で、物理チャネルがマッピングされる周波数領域リソースは、セル識別情報および制御リソースサブセットに対応する帯域幅のうちの1つまたは複数に基づいて決定される。
【００６０】
セル識別情報は、セルについて半静的または静的に構成された識別情報であってもよく、例えば、PCIであってもよい。さらに、制御リソースサブセットは、予め定義された帯域幅のサブバンド帯域幅である。
【００６１】
任意選択で、物理チャネルがマッピングされる時間領域リソースは、伝送単位の第1のシンボルである。
【００６２】
任意選択で、制御リソースサブセットは共通ダウンリンク制御情報を送信するために使用され、共通ダウンリンク制御情報はシステムメッセージブロックSIB、ランダムアクセス応答RAR、およびページングメッセージのうちの少なくとも1つの構成情報を含む。
【００６３】
任意選択で、制御リソースサブセットは、ユーザグループ固有のダウンリンク制御情報および／またはユーザ固有のダウンリンク制御情報を送信するために使用される。
【００６４】
具体的には、物理チャネルは、共通探索空間／ユーザグループ固有の探索空間が位置する制御リソースサブセットにマッピングされるので、ユーザは共通探索空間を検出するときに物理チャネルを検出することができる。共通探索空間は共通ダウンリンク制御情報を送信するために使用され、セル内のすべてのユーザは共通ダウンリンク制御情報を受信する必要がある。ユーザグループ固有の探索空間は、ユーザグループ固有のダウンリンク制御情報を送信するために使用され、セル内の1人または複数のユーザは、ユーザグループ固有のダウンリンク制御情報を受信する必要がある。
【００６５】
さらに、制御リソースサブセットは、ユーザグループ固有のダウンリンク制御情報のみを送信するために使用されてもよいし、または、制御リソースサブセットは、ユーザ固有のダウンリンク制御情報のみを送信するために使用されてもよいし、または、制御リソースのサブセットは、ユーザグループ固有のダウンリンク制御情報およびユーザ固有のダウンリンク制御情報を送信するために使用されてもよい。
【００６６】
任意選択で、周波数領域リソース開始値は、制御リソースサブセットに対応する最も低いPRBインデックスである。
【００６７】
任意選択で、物理チャネルをリソースにマッピングするステップは、物理チャネルに対応する情報ビットのチャネルコーディングを実行するステップと、コーディングしたビットをスクランブルするステップであって、スクランブリングシーケンスは、セル識別情報および伝送単位インデックスを使用することによって決定される、ステップと、スクランブルされたビットを変調するステップと、変調されたシンボルをリソースにマッピングするステップと、を含む。
【００６８】
具体的には、物理チャネルの物理レイヤ処理プロセスは、最初に、32ビットのコードワードを取得するために、物理チャネルに対応する情報ビット、例えば伝送単位構造の2ビットの指示情報に対して1／16のコードレートでチャネルコーディングを実行するステップと、次に、セル識別情報および伝送単位インデックスを使用することによって決定されたスクランブルシーケンスを使用することにより、32ビットコードワードをスクランブルするステップと、次に、16個の変調されたシンボルを取得するために、32ビットのスクランブルされたコードワードでQPSK変調を実行するステップと、16個の変調されたシンボルを、制御リソースサブセットが位置する周波数帯域にマッピングするするステップと、を含む。
【００６９】
任意選択で、リソースは、ダウンリンク制御チャネル上のK個の予め定義されたダウンリンク制御チャネル要素（Control Channel Element、CCE）に対応するリソース内にある。
【００７０】
任意選択で、K個のCCEはダウンリンク制御チャネルの最初のK個のCCEである。
【００７１】
具体的には、物理チャネルの有無がユーザによる制御チャネルのブラインド検出への影響を最小限に抑えることを保証するために、変調されたシンボルは、可能な限り、制御リソースサブセット内のいくつかの予め定義されたCCEにさらに集中的にマッピングされてもよい。
【００７２】
任意選択で、所与の伝送単位が物理チャネルを含まないことが端末に指示されない限り、物理チャネルに対応するCCEはダウンリンク制御情報を含まないと一般的に考えられる。
【００７３】
任意選択で、物理チャネルに対応する情報はダウンリンク制御情報であり、ダウンリンク制御情報はダウンリンク制御チャネルで搬送され、ダウンリンク制御情報はダウンリンク制御チャネルの共通探索空間および／またはユーザグループ探索空間に位置する。
【００７４】
任意選択で、物理チャネルに対応する情報はL個のCCEで搬送され、Lは予め定義された数であり、L個のCCEのうちの最も低いCCEインデックスは予め定義され、候補セットの数は1である。
【００７５】
任意選択で、最も低いCCEインデックスは、共通探索空間の最初のCCEのインデックスである。
【００７６】
任意選択で、CCEインデックスはユーザグループ探索空間の最初のCCEのインデックスである。
【００７７】
具体的には、物理チャネルが比較的大量の情報ビット（例えば、25ビット）を伝送する場合、物理チャネルは本質的に共通のDCIまたはユーザグループ固有のDCIである。この場合、ユーザによるブラインド検出の複雑さを軽減するために、物理チャネルはいくつかの予め定義された連続したCCEにマッピングされてもよい。ここでいう「予め定義された」とは、CCE量とCCEインデックスの両方が予め定義されていることを意味する。言い換えれば、情報を搬送するダウンリンク制御情報に使用される開始CCEは予め定義されており、集約レベルLは予め定義され、候補セットの数は1である。例えば、25ビットの情報は、最初のCCEから始まる制御リソースサブセットの4つのCCEにマッピングされる（集約レベルが4で、巡回冗長検査（Cyclic Redundancy Check）が24ビットであり、QPSK変調が実行されることが仮定される）。
【００７８】
第5の態様によれば、本願は通信方法を提供し、本法は、
端末により、ネットワークデバイスによって送信されたDCIを受信するステップであって、DCIは構成情報を含み、構成情報はシステム帯域幅を示すために使用される、ステップと、
端末により、システム帯域幅を使用することによって通信するステップと、
を含む。
【００７９】
ネットワークデバイスは、データサービスの量に基づいてシステム帯域幅を決定することができる。例えば、ネットワーク内に比較的少量のデータサービスがある場合には、比較的小さいシステム帯域幅が使用され、ネットワーク内に比較的大量のデータサービスがある場合には、比較的大きなシステム帯域幅が使用される。ネットワークデバイスは、ネットワークデバイスによって決定されたシステム帯域幅を端末に示すために、構成情報をDCIに追加し、DCIを端末に送信することができる。
【００８０】
本願の第5の態様で提供される通信方法では、端末は、ネットワークデバイスによって送信されたDCIを受信する。DCIは構成情報を含み、構成情報はシステム帯域幅を示すために使用される。端末はシステム帯域幅を使用することによって通信する。ネットワークデバイスは利用可能なシステム帯域幅を端末に示し、端末はネットワークデバイスによって示されたシステム帯域幅に基づいて通信するので、システム帯域幅はより柔軟に決定され得る。
【００８１】
任意選択で、本方法は、能力情報を送信するステップをさらに含む。能力情報は、端末がシステム帯域幅をサポートしていることを示すために使用される。
【００８２】
具体的には、端末は、初期アクセスプリアンブル（メッセージ1）またはメッセージ3を用いることによって端末の能力情報を報告することができる。ネットワークデバイスは、端末によって報告された能力情報に基づいて、システムサービス帯域幅のサイズを決定するためにデータサービスの量に基づいて帯域幅を柔軟に構成するかどうかを決定する。能力情報は、端末がシステム帯域幅をサポートしていることを示すために使用される。能力情報は、端末によってサポートされ得る1つまたは複数の帯域幅とシステムパラメータセットとを含む。システムパラメータセットは、サブキャリア間隔のサイズ、サイクリックプレフィックスの長さ、送信時間間隔の長さ、シンボルの長さ、およびシンボルの量などの1つまたは複数のパラメータを含む。
【００８３】
第6の態様によれば、本願は通信方法を提供し、本方法は、
ネットワークデバイスにより、DCIを端末に送信するステップであって、DCIは構成情報を含み、構成情報はシステム帯域幅を示すために使用される、ステップと、
ネットワークデバイスにより、システム帯域幅を使用することによって端末と通信するステップと、
を含む。
【００８４】
ネットワークデバイスは、データサービスの量に基づいてシステム帯域幅を決定することができる。例えば、ネットワーク内に比較的少量のデータサービスがある場合には、比較的小さいシステム帯域幅が使用され、ネットワーク内に比較的大量のデータサービスがある場合には、比較的大きなシステム帯域幅が使用される。ネットワークデバイスは、ネットワークデバイスによって決定されたシステム帯域幅を端末に示すために、構成情報をDCIに追加し、DCIを端末に送信することができる。システム帯域幅を決定した後に、ネットワークデバイスは、決定されたシステム帯域幅を使用することによって端末と通信する。
【００８５】
本願の第6の態様で提供される通信方法では、ネットワークデバイスがDCIを端末に送信する。DCIは構成情報を含み、構成情報はシステム帯域幅を示すために使用される。ネットワークデバイスは、システム帯域幅を使用することによって端末と通信する。ネットワークデバイスは、利用可能なシステム帯域幅を端末に示し、システム帯域幅を用いることによって端末と通信するので、システム帯域幅はより柔軟に決定され得る。
【００８６】
任意選択で、本方法は、能力情報を送信するステップをさらに含む。能力情報は、端末がシステム帯域幅をサポートしていることを示すために使用される。
【００８７】
具体的には、端末は、初期アクセスプリアンブル（メッセージ1）またはメッセージ3を用いることによって端末の能力情報を報告することができる。ネットワークデバイスは、端末によって報告された能力情報に基づいて、システムサービス帯域幅のサイズを決定するためにデータサービスの量に基づいて帯域幅を柔軟に構成するかどうかを決定する。能力情報は、端末がシステム帯域幅をサポートしていることを示すために使用される。能力情報は、端末によってサポートされ得る1つまたは複数の帯域幅とシステムパラメータセットとを含む。システムパラメータセットは、サブキャリア間隔のサイズ、サイクリックプレフィックスの長さ、送信時間間隔の長さ、シンボルの長さ、およびシンボルの量などの1つまたは複数のパラメータを含む。
【００８８】
第7の態様によれば、本願の一実施形態は通信装置を提供する。装置は、第1の態様および第1の態様の実施態様で提供される方法を実行するように構成されたモジュールまたは手段（means）を含む。
【００８９】
第8の態様によれば、本願の一実施形態は通信装置を提供する。装置は、第2の態様および第2の態様の実施態様で提供される方法を実行するように構成されたモジュールまたは手段（means）を含む。
【００９０】
第9の態様によれば、本願の一実施形態は通信装置を提供する。装置は、第3の態様および第3の態様の実施態様で提供される方法を実行するように構成されたモジュールまたは手段（means）を含む。
【００９１】
第10の態様によれば、本願の一実施形態は通信装置を提供する。装置は、第4の態様および第4の態様の実施態様で提供される方法を実行するように構成されたモジュールまたは手段（means）を含む。
【００９２】
第11の態様によれば、本願の一実施形態は通信装置を提供する。装置は、第5の態様および第5の態様の実施態様で提供される方法を実行するように構成されたモジュールまたは手段（means）を含む。
【００９３】
第12の態様によれば、本願の一実施形態は通信装置を提供する。装置は、第6の態様および第6の態様の実施態様で提供される方法を実行するように構成されたモジュールまたは手段（means）を含む。
【００９４】
第13の態様によれば、本願の一実施形態は通信装置を提供する。装置はプロセッサおよびメモリを含む。メモリはプログラムを格納するように構成される。プロセッサは、メモリに格納されているプログラムを起動して、本願の第1の態様で提供される方法を実行する。
【００９５】
第14の態様によれば、本願の一実施形態は通信装置を提供する。装置はプロセッサおよびメモリを含む。メモリはプログラムを格納するように構成される。プロセッサは、メモリに格納されているプログラムを起動して、本願の第2の態様で提供される方法を実行する。
【００９６】
第15の態様によれば、本願の一実施形態は通信装置を提供する。装置はプロセッサおよびメモリを含む。メモリはプログラムを格納するように構成される。プロセッサは、メモリに格納されているプログラムを起動して、本願の第3の態様で提供される方法を実行する。
【００９７】
第16の態様によれば、本願の一実施形態は通信装置を提供する。装置はプロセッサおよびメモリを含む。メモリはプログラムを格納するように構成される。プロセッサは、メモリに格納されているプログラムを起動して、本願の第4の態様で提供される方法を実行する。
【００９８】
第17の態様によれば、本願の一実施形態は通信装置を提供する。装置はプロセッサおよびメモリを含む。メモリはプログラムを格納するように構成される。プロセッサは、メモリに格納されているプログラムを起動して、本願の第5の態様で提供される方法を実行する。
【００９９】
第18の態様によれば、本願の一実施形態は通信装置を提供する。装置はプロセッサおよびメモリを含む。メモリはプログラムを格納するように構成される。プロセッサは、メモリに格納されているプログラムを起動して、本願の第6の態様で提供される方法を実行する。
【０１００】
第19の態様によれば、本願の一実施形態は、第1の態様の方法を実行するように構成された少なくとも1つの処理要素（またはチップ）を含む通信装置を提供する。
【０１０１】
第20の態様によれば、本願の一実施形態は、第2の態様の方法を実行するように構成された少なくとも1つの処理要素（またはチップ）を含む通信装置を提供する。
【０１０２】
第21の態様によれば、本願の一実施形態は、第3の態様の方法を実行するように構成された少なくとも1つの処理要素（またはチップ）を含む通信装置を提供する。
【０１０３】
第22の態様によれば、本願の一実施形態は、第4の態様の方法を実行するように構成された少なくとも1つの処理要素（またはチップ）を含む通信装置を提供する。
【０１０４】
第23の態様によれば、本願の一実施形態は、第5の態様の方法を実行するように構成された少なくとも1つの処理要素（またはチップ）を含む通信装置を提供する。
【０１０５】
第24の態様によれば、本願の一実施形態は、第6の態様の方法を実行するように構成された少なくとも1つの処理要素（またはチップ）を含む通信装置を提供する。
【０１０６】
第25の態様によれば、本願の一実施形態は通信プログラムを提供する。プロセッサによって実行されると、プログラムは第1の態様の方法を実行するように構成される。
【０１０７】
第26の態様によれば、本願の一実施形態は、第25の態様のプログラムを含むプログラム製品、例えばコンピュータ可読記憶媒体を提供する。
【０１０８】
第27の態様によれば、本願の一実施形態は通信プログラムを提供する。プロセッサによって実行されると、プログラムは第2の態様の方法を実行するように構成される。
【０１０９】
第28の態様によれば、本願の一実施形態は、第27の態様のプログラムを含むプログラム製品、例えばコンピュータ可読記憶媒体を提供する。
【０１１０】
第29の態様によれば、本願の一実施形態は通信プログラムを提供する。プロセッサによって実行されると、プログラムは第3の態様の方法を実行するように構成される。
【０１１１】
第30の態様によれば、本願の一実施形態は、第29の態様のプログラムを含むプログラム製品、例えばコンピュータ可読記憶媒体を提供する。
【０１１２】
第31の態様によれば、本願の一実施形態は通信プログラムを提供する。プロセッサによって実行されると、プログラムは第4の態様の方法を実行するように構成される。
【０１１３】
第32の態様によれば、本願の一実施形態は、第31の態様のプログラムを含むプログラム製品、例えばコンピュータ可読記憶媒体を提供する。
【０１１４】
第33の態様によれば、本願の一実施形態は通信プログラムを提供する。プロセッサによって実行されると、プログラムは第5の態様の方法を実行するように構成される。
【０１１５】
第34の態様によれば、本願の一実施形態は、第33の態様のプログラムを含むプログラム製品、例えばコンピュータ可読記憶媒体を提供する。
【０１１６】
第35の態様によれば、本願の一実施形態は通信プログラムを提供する。プロセッサによって実行されると、プログラムは第6の態様の方法を実行するように構成される。
【０１１７】
第36の態様によれば、本願の一実施形態は、第35の態様のプログラムを含むプログラム製品、例えばコンピュータ可読記憶媒体を提供する。
【０１１８】
第1の態様では、端末は、ネットワークデバイスによって送信された構成情報を受信し、構成情報によって示されるリソースに関する共通制御情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、端末が構成情報によって示されたリソースに関する共通制御情報を受信することを可能にするので、共通探索空間を決定する方法はより柔軟になり得る。
【０１１９】
第2の態様では、ネットワークデバイスは構成情報を送信し、構成情報によって示されたリソースに関する共通制御情報を送信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、構成情報によって示されたリソースに関する共通制御情報を送信するので、共通探索空間を決定する方法はより柔軟になり得る。
【０１２０】
第3の態様では、端末は、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。端末は、周波数領域リソース開始値によって示されるリソース上の物理チャネルを受信する。ネットワークデバイスは、物理チャネルの周波数領域リソース開始値を示すために使用される構成情報を端末に送信し、端末は、周波数領域リソース開始値によって示されるリソース上の物理チャネルを受信するので、物理チャネルがより柔軟に構成され得る。
【０１２１】
第4の態様では、ネットワークデバイスは構成情報を送信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。ネットワークデバイスは、周波数領域リソース開始値によって示されるリソース上の物理チャネルを送信する。ネットワークデバイスは、物理チャネルの周波数領域リソース開始値を示すために使用される構成情報を端末に送信し、周波数領域リソース開始値によって示されるリソース上の物理チャネルを送信するので、物理チャネルがより柔軟に構成され得る。
【０１２２】
第5の態様では、端末はネットワークデバイスによって送信されたDCIを受信する。DCIは構成情報を含み、構成情報はシステム帯域幅を示すために使用される。端末はシステム帯域幅を使用することによって通信する。ネットワークデバイスは利用可能なシステム帯域幅を端末に示し、端末はネットワークデバイスによって示されたシステム帯域幅に基づいて通信するので、システム帯域幅はより柔軟に決定され得る。
【０１２３】
第6の態様では、ネットワークデバイスは端末にDCIを送信する。DCIは構成情報を含み、構成情報はシステム帯域幅を示すために使用される。ネットワークデバイスは、システム帯域幅を使用することによって端末と通信する。ネットワークデバイスは、利用可能なシステム帯域幅を端末に示し、システム帯域幅を用いることによって端末と通信するので、システム帯域幅はより柔軟に決定され得る。
【図面の簡単な説明】
【０１２４】
【図１】LTEシステムの構成図である。
【図２】本願による通信方法の実施形態1のシグナリングフローチャートである。
【図３】共通探索空間のリソースマッピングの概略図1である。
【図４】共通探索空間のリソースマッピングの概略図2である。
【図５】本願による通信方法の実施形態2のシグナリングフローチャートである。
【図６】物理チャネルのリソースマッピングの概略図である。
【図７】本願による通信方法の実施形態3のシグナリングフローチャートである。
【図８】DCIの概略構成図である。
【図９】本願による通信装置の実施形態1の概略構成図である。
【図１０】本願による通信装置の実施形態2の概略構成図である。
【図１１】本願による通信装置の実施形態3の概略構成図である。
【図１２】本願による通信装置の実施形態4の概略構成図である。
【図１３】本願による通信装置の実施形態5の概略構成図である。
【図１４】本願による通信装置の実施形態6の概略構成図である。
【図１５】本願の一実施形態による端末の概略構成図である。
【図１６】本願の一実施形態によるアクセスネットワークデバイスの概略構成図である。
【発明を実施するための形態】
【０１２５】
以下では、当業者にとって理解を容易にするために本願におけるいくつかの用語を説明する。
【０１２６】
（1）端末：ユーザ機器（User Equipment、UE）とも呼ばれ、ユーザに音声および／またはデータの接続性を提供する装置、例えば、無線接続機能を有するハンドヘルド装置または車載装置である。一般的な端末は、例えば、携帯電話、タブレットコンピュータ、ノートブックコンピュータ、パームコンピュータ、モバイルインターネット装置（mobile internet device、MID）、ならびにスマートウォッチ、スマートバンド、スマートカード、または歩数計などのウェアラブルデバイスを含む。
【０１２７】
（2）ネットワークデバイスは、無線アクセスネットワーク（Radio Access Network、RAN）装置とも呼ばれ、端末を無線ネットワークに接続する装置であり、様々な通信標準規格における基地局を含む。例えば、基地局は、限定はしないが、送信／受信ポイント（Transmission Reception Point、TRP）、進化型ノードB（evolved NodeB、eNB）、無線ネットワークコントローラ（radio network controller、RNC）、ノードB（NodeB、NB）、基地局コントローラ（Base Station Controller、BSC）、トランシーバ基地局（Base Transceiver Station、BTS）、ホーム基地局（例えば、Home evolved NodeB、またはHome NodeB、HNB）、ベースバンドユニット（BaseBand Unit、BBU）、またはWi-Fiアクセスポイント（Access Point、AP）を含む。
【０１２８】
（3）本願におけるユニットは、機能ユニットまたは論理ユニットである。ユニットはソフトウェアの形態であってもよく、ユニットの機能はプログラムコードを実行することによってプロセッサによって実現される。あるいは、ユニットはハードウェアの形態であってもよい。
【０１２９】
（4）「複数の」とは、2つ以上を意味する。他の数量詞も同様である。「および／または」という用語は、関連するオブジェクト間の関連関係を表し、3つの関係が存在し得ることを表す。例えば、Aおよび／またはBは、以下の3つの場合を表すことができる。Aのみが存在する、AとBの両方が存在する、Bのみが存在する。文字「／」は一般に、関連するオブジェクト間の「or」関係を示す。「の上」、「の下」などで記載された範囲は境界点を含む。
【０１３０】
本願の実施形態で提供される通信方法は、ロングタームエボリューション（Long Term Evolution、LTE）／第5世代（5th Generation、5G）ネットワークに適用され得る。図1は、LTEシステムの構成図である。図1に示すように、このシステムは、モビリティ管理エンティティ（Mobility Management Entity、MME）／サービングゲートウェイ（Serving GateWay、S-GW）、進化型ノードB（evolved NodeB、eNB）、および端末を含む。端末は、例えば、UEであってもよい。MMEは、第3世代パートナーシッププロジェクト（3rd Generation Partnership Project、3GPP）LTEのキーとなる制御ノードであり、コアネットワークのネットワーク要素であり、主にシグナリング処理部分、すなわち制御プレーン機能を担当し、それはアクセス制御、モビリティ管理、接続および切断、セッション管理、ゲートウェイ選択などの機能を含む。S-GWは、3GPP LTEにおけるコアネットワークの重要なネットワーク要素であり、主にユーザデータ転送のユーザプレーン機能、すなわちMMEの制御下でのデータパケットルーティングおよび転送を担当する。eNBはLTEの基地局であり、主に無線リソース管理、サービス品質（Quality of Service、QoS）管理、ならびにデータ圧縮および暗号化などのエアインターフェース側機能を担当する。さらに、eNBは、制御プレーンシグナリングをMMEに転送し、ユーザプレーンサービスデータをS-GWに転送することをさらに担当する。UEは、eNBを使用することによってネットワーク側にアクセスするLTE内の装置であり、例えば、ハンドヘルド端末、ノートブックコンピュータ、またはネットワークにアクセスすることができる別の装置であってもよい。さらに、S1インターフェースは、eNBとコアネットワークとの間の標準インターフェースである。eNBは、制御シグナリングを送信するために、S1-MMEインターフェースを介してMMEに接続される。eNBは、ユーザデータを送信するために、S1-Uインターフェースを介してS-GWに接続される。S1-MMEインターフェースとS1-Uインターフェースとを総称してS1インターフェースと呼ぶ。X2インターフェースは、eNB間の標準インターフェースであり、基地局間の通信を実施するように構成されている。Uuインターフェースは、UEと基地局との間の無線インターフェースである。UEは、Uuインターフェースを介してLTEネットワークにアクセスする。
【０１３１】
図1に示すシステムアーキテクチャに基づいて、UEは、サブフレームでの非連続受信（non-Discontinuous Reception、non-DRX）中に、物理ダウンリンク制御チャネル（Physical Downlink Control Channel、PDCCH）／拡張物理ダウンリンク制御チャネル（Enhanced Physical Downlink Control Channel、EPDCCH）候補セットを聴取する。したがって、UEは、聴取を通じて得られたダウンリンク制御情報（Downlink Control Information、DCI）のフォーマットに基づいて、セット内の各PDCCH／EPDCCHを復号しようと試みる必要がある。そのセットはUEの探索空間（Search Space）と呼ばれる。PDCCHは、共通探索空間（Common Search Space、CSS）およびUE固有の探索空間（UE-specific Search Space、USS）を含む。従来技術では、探索空間
【数１】
2020505888.tif 000003
でPDCCH候補mによって占有される制御チャネル要素（Control Channel Element、CCE）は、通常、式L＊｛（Yk＋m）mod NCCE，k／L｝＋i、i＝0，…，L−1、m＝0，…，M（L）−1を使用して計算され、M（L）は、UEが所与の探索空間で聴取する必要があるPDCCH候補の量である。このようにして共通探索空間が決定されると、共通探索空間は一般にCCE 0から始まる。言い換えれば、共通探索空間の場合、Yk＝0である。したがって、共通探索空間はPDCCHの最初の16個のCCEを固定的に占有し、共通探索空間の決定は柔軟性がない。
【０１３２】
この観点から、本願の実施形態は通信方法を提供する。端末は、ネットワークデバイスによって送信された構成情報を受信し、構成情報によって示されるリソースに関する共通制御情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、端末が構成情報によって示されたリソースに関する共通制御情報を受信することを可能にするので、共通探索空間を決定する方法はより柔軟になり得る。
【０１３３】
図2は、本願による通信方法の実施形態1のシグナリングフローチャートである。図2に示すように、図1に示すシステムアーキテクチャに基づいて、この実施形態における方法は以下のステップを含むことができる。
【０１３４】
ステップ201：端末は、ネットワークデバイスによって送信された構成情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。
【０１３５】
この実施形態では、セル識別情報は、セルについて半静的または静的に構成された識別情報であってもよく、例えば、PCIであってもよい。もちろん、セル識別情報は代替的に別の方法で決定されてもよい。例えば、2つのセルが地理的に近く、2つのセルからの基準信号が準同一位置にある（Quasi-Co-Located、QCL）場合、2つのセルは同じ共通セル識別情報を使用してもよい。この場合、基準信号がQCLであるということは、基準信号が、ドップラーシフト、ドップラースプレッド、平均遅延、または時間領域スプレッドなどの情報の少なくとも1つの大規模フェージング特性において類似していることを示す。したがって、セル識別情報は、ネットワークデバイス間のネゴシエーションの結果に応じて代替的に決定されてもよい。ネゴシエーションを介してセル識別情報を取得した後に、ネットワークデバイスは、物理レイヤシグナリング、ブロードキャストシグナリング、または上位レイヤシグナリングを使用することによって、ネゴシエーション後に取得したセル識別情報をセル内の端末に配信することができる。
【０１３６】
さらに、ダウンリンク帯域幅は、予め定義された帯域幅のサブバンド帯域幅であってもよいし、または全システム帯域幅であってもよい。ダウンリンク帯域幅の特定の形態は、この実施形態ではこれに限定されない。
【０１３７】
以下では、ネットワークデバイスが、セル識別情報、ダウンリンク帯域幅、同期チャネルの周波数領域リソースロケーション、およびブロードキャストチャネルの周波数領域リソースロケーションのうちの1つまたは複数に基づいて、どのように共通探索空間の候補リソースを決定するかを説明する。
【０１３８】
任意選択の実施態様では、第mの共通探索空間の候補リソースの周波数領域リソース開始物理リソースブロック（Physical Resource Block、PRB）は、式（1）に基づいて計算され得る。
【０１３９】
【数２】
2020505888.tif 000004
【０１４０】
ここで、kは第mの共通探索空間の候補リソースの周波数領域リソース開始PRBであり、Mは共通探索空間の候補リソースの量であり、
【数３】
2020505888.tif 000005
であり、
【数４】
2020505888.tif 000006
であり、
【数５】
2020505888.tif 000007
は共通探索空間により占有される周波数領域帯域幅であり、
【数６】
2020505888.tif 000008
はダウンリンク帯域幅であり、
【数７】
2020505888.tif 000009
はセル識別情報である。
【０１４１】
例えば、図3は、共通探索空間のリソースマッピングの概略図1である。図3に示すように、ネットワークが合計4つの共通探索空間s（0）、…、s（3）を有し、各共通探索空間により占有される周波数領域帯域幅は、
【数８】
2020505888.tif 000010
であり、かつ
【数９】
2020505888.tif 000011
であると仮定する。次に、式（2）〜式（5）に基づいて、共通探索空間s（0）、…、s（3）の候補リソースの周波数領域リソース開始PRBが計算され得る。
【０１４２】
【数１０】
2020505888.tif 000012
【０１４３】
【数１１】
2020505888.tif 000013
は、ダウンリンク帯域幅の約1／4であることが式（2）〜式（5）から分かる。言い換えれば、隣接する共通探索空間は、ダウンリンク帯域幅の約1／4だけ周波数領域において離間している。さらに、共通探索空間の位置はセル識別情報およびダウンリンク帯域幅に関係しているので、隣接セルの共通探索空間内の送信間の干渉を回避するために適切なセル識別情報が選択され得る。
【０１４４】
別の任意選択の実施態様では、式（6）に基づいて、第mの共通探索空間の候補リソースの周波数領域リソース開始PRBが計算され得る。
【０１４５】
【数１２】
2020505888.tif 000014
【０１４６】
ここで、kは第mの共通探索空間の候補リソースの周波数領域リソース開始PRBであり、Mは共通探索空間の候補リソースの量であり、Mが偶数の場合には、
【数１３】
2020505888.tif 000015
であり、Mが奇数の場合には、
【数１４】
2020505888.tif 000016
であり、Isynは同期信号ブロックに対応する中央のPRBインデックスであり、
【数１５】
2020505888.tif 000017
であり、
【数１６】
2020505888.tif 000018
は共通探索空間により占有される周波数領域帯域幅であり、
【数１７】
2020505888.tif 000019
はダウンリンク帯域幅である。
【０１４７】
例えば、図4は、共通探索空間のリソースマッピングの概略図2である。図4に示すように、ネットワークは合計4つの共通探索空間s（0）、…、s（3）を有し、Isynは同期信号ブロックに対応する中央のPRBインデックスであると仮定する。次に、式（7）〜式（10）に基づいて、共通探索空間s（0）、…、s（3）の候補リソースの周波数領域リソース開始PRBが計算され得る。
【０１４８】
【数１８】
2020505888.tif 000020
【０１４９】
さらに、式（6）を使用することにより、共通探索空間の候補リソースの周波数領域リソース開始PRBが計算される場合に、共通探索空間は共通信号リソース帯域幅内で構成され得るので、端末は、共通信号リソース帯域幅内で同期信号、ブロードキャスト信号、または共通探索空間を検出することができ、端末のシグナリングオーバーヘッドが低減され得る。
【０１５０】
もちろん、ネットワークデバイスは、代替的に、別の方法で共通探索空間の候補リソースを決定してもよい。例えば、ネットワークは合計4つの共通探索空間s（0）、…、s（3）を有し、Isynは同期信号ブロックに対応する中央のPRBインデックスであると仮定する。次に、式（11）〜式（14）に基づいて、共通探索空間s（0）、…、s（3）の候補リソースの周波数領域リソース開始PRBが計算され得る。
【０１５１】
【数１９】
2020505888.tif 000021
【０１５２】
ここで
【数２０】
2020505888.tif 000022
であり、かつ
【数２１】
2020505888.tif 000023
である。
【０１５３】
任意選択で、端末がネットワークデバイスによって送信された構成情報を受信することは、端末が、ネットワークデバイスによって送信されたマスタシステム情報ブロック（Master System Information Block、MIB）メッセージを受信することを含む。MIBメッセージは構成情報を含む。
【０１５４】
具体的には、共通探索空間の複数の候補リソース内のリソースを示すために使用される構成情報を決定した後に、ネットワークデバイスは、MIBメッセージに構成情報を追加し、MIBメッセージを端末に送信することができる。実際の適用中に、ネットワークデバイスは、MIBのcss-Configフィールドを使用することによって構成情報を示すことができる。特定の実施プロセスでは、以下の方法が実施に使用されてもよい。
MasterInformationBlock ::=   SEQUENCE {
dl-Bandwidth                ENUMERATED {
n6, n15, n25, n50, n75, n100},
......
css-Config                  CSS-Config, ------CSS configuration
......
}
CSS-Config ::=              SEQUENCE {
css-Resource               ENUMERATED {00, 01, 10, 11}------resource of a configured CSS
}
ここで、css-Resourceの値「00」は、構成された共通探索空間の候補リソースがs（0）であることを示し、css-Resourceの値「01」は、構成された共通探索空間のリソースサブセットがs（1）であることを示し、以下同様である。
【０１５５】
さらに、ネットワークデバイスは、MIBメッセージを用いて構成情報を指示する場合、MIB内のlog2Mの長さを有するcss-Configフィールドを用いて構成情報を示す。Mは共通探索空間の候補リソースの量である。
【０１５６】
ステップ202：ネットワークデバイスは、構成情報によって示されたリソースに関する共通制御情報を送信する。
【０１５７】
この実施形態では、共通探索空間の複数の候補リソースを決定した後に、ネットワークデバイスは、複数の候補リソースから1つまたは複数のリソースを選択し、MIBにより1つまたは複数のリソースを端末に示す。さらに、ネットワークデバイスは、構成情報により示されたリソースに関する共通制御情報を送信する。
【０１５８】
任意選択で、共通制御情報は、SIB、RAR、およびpagingページングメッセージのうちの少なくとも1つの構成情報を含む。
【０１５９】
任意選択で、構成情報は候補リソースのインデックスを含む。
【０１６０】
任意選択で、構成情報は、リソースの周波数領域リソース開始値を示すために使用される。周波数領域リソース開始値は、周波数領域リソース開始位置または周波数領域リソースオフセットであり、例えば、最も低いPRBインデックスであってもよい。
【０１６１】
任意選択で、共通制御情報はDCIを含み、DCIは伝送単位のフォーマットを示すために使用され、および／または伝送単位内の物理ダウンリンク制御領域内のシンボルの量を示すために使用される。
【０１６２】
具体的には、伝送単位は時間領域構造であり、サブフレーム、スロット、ミニスロット、集約スロット、集約ミニスロットなどであってもよい。伝送単位のフォーマットは、伝送単位内のダウンリンク制御領域、ダウンリンクデータ領域、アップリンクデータ領域、およびアップリンク制御領域をどのように配置するかということである。伝送単位のフォーマットには、以下のうちの1つまたは複数を含むことができる。（1）全ダウンリンク：ダウンリンク制御領域およびダウンリンクデータ領域を含む、あるいはダウンリンクデータ領域のみを含む、（2）ダウンリンク優位：ダウンリンク制御領域、ダウンリンクデータ領域、およびアップリンク制御領域を含む、あるいはダウンリンクデータ領域およびアップリンク制御領域を含む、（3）アップリンク優位：ダウンリンク制御領域、アップリンクデータ領域、およびアップリンク制御領域を含む、あるいはダウンリンク制御領域およびアップリンクデータ領域を含む、（4）全アップリンク：アップリンクデータ領域およびアップリンク制御領域を含む、あるいはアップリンクデータ領域のみを含む、あるいはアップリンク制御領域のみを含む。
【０１６３】
さらに、伝送単位のフォーマットを示すため、および／または伝送単位の物理ダウンリンク制御領域内のシンボルの量を示すために使用されるDCIについて、以下のいくつかの場合が発生し得る。（1）DCIは、伝送単位のフォーマットのみを示すために使用される、（2）DCIは、伝送単位内の物理ダウンリンク制御領域内のシンボルの量のみを示すために使用される、（3）DCIは、伝送単位のフォーマットを示すために使用され、伝送単位内の物理ダウンリンク制御領域内のシンボルの量を示すために使用される。
【０１６４】
任意選択で、共通制御情報はDCIを含み、DCIは構成情報を含み、構成情報はシステム帯域幅を示すために使用される。
【０１６５】
具体的には、ネットワークデバイスは、ネットワーク内のデータサービスの量に基づいてシステム帯域幅を決定することができる。例えば、ネットワーク内に比較的少量のデータサービスがある場合には、比較的小さいシステム帯域幅が使用され、ネットワーク内に比較的大量のデータサービスがある場合には、比較的大きなシステム帯域幅が使用される。システム帯域幅を決定した後に、ネットワークデバイスは、システム帯域幅を示すために使用される構成情報をDCIに追加し、DCIを端末に送信する。ネットワークデバイスにより示されたシステム帯域幅を受信した後に、端末は、システム帯域幅を使用することにより通信し、例えば、システム帯域幅に関するデータおよび制御情報を受信する。ネットワークデバイスはネットワーク内のデータサービスの量に基づいてシステム帯域幅を決定することができるので、システム帯域幅はより柔軟に決定され得る。
【０１６６】
本願のこの実施形態で提供される通信方法では、端末は、ネットワークデバイスによって送信された構成情報を受信し、構成情報によって示されるリソースに関する共通制御情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、端末が構成情報によって示されたリソースに関する共通制御情報を受信することを可能にするので、共通探索空間を決定する方法はより柔軟になり得る。
【０１６７】
図1に示すシステムアーキテクチャに基づいて、従来技術では、物理制御フォーマットインジケータチャネル（Physical Control Format Indicator Channel、PCFICH）で搬送される情報は、制御フォーマットインジケータ（Control Format Indicator、CFI）であり、CFIは1〜3の範囲の値を有する（言い換えると、CFI＝1、2、または3であって、CFIは2ビットを使用して示され、CFI＝4は予約済みで未使用である）。ダウンリンクシステム帯域幅
【数２２】
2020505888.tif 000024
の場合、制御領域により占有される直交周波数分割多重化（Orthogonal Frequency Division Multiplexing、OFDM）シンボルの量は、1（CFI＝1）、2（CFI＝2）、または3（CFI＝3）であり、すなわち、CFIに等しい。ダウンリンクシステム帯域幅
【数２３】
2020505888.tif 000025
の場合、制御領域により占有されるOFDMシンボルの量は、2（CFI＝1）、3（CFI＝2）、または4（CFI＝3）であり、すなわち、CFI＋1に等しい。PCFICHの物理レイヤ処理プロセスは次の通りである。最初に、32ビットコードワードを取得するために、2ビットCFIでコードレート1／16のチャネルコーディングを実行する。次に、セル間の干渉をランダム化するために、セルとサブフレームに固有のスクランブルコードを使用することにより32ビットコードワードをスクランブルする。次に、16個の変調されたシンボルを取得するために、スクランブル後に取得した32個のスクランブルされたビットに対して4位相シフトキーイング（Quadrature Phase Shift Keying、QPSK）変調を実行し、16個の変調されたシンボルでレイヤマッチングとプリコーディングを実行して、16個の変調されたシンボルを対応するリソース要素（Resource Element、RE）にマッピングする。端末は、PCFICHが正しく復号された場合にのみ制御領域のサイズを取得することができるので、ネットワークデバイスは常に各サブフレームの最初のOFDMシンボルでPCFICHを送信する。さらに、PCFICHの16個の変調されたシンボルは4つのグループにグループ化され、各グループは1つのリソース要素グループ（Resource Element Group、REG）を占有し、各REGは送信に使用され得る4個のREを含み、4個のREGはダウンリンクシステムの帯域幅全体に均等に分散され、周波数ダイバーシティゲインを取得する。
【０１６８】
各REGに含まれる情報は、式（15）を用いて示される。
z（p）（i）＝y（p）（4i），y（p）（4i＋1），y（p）（4i＋2），y（p）（4i＋3）（15）
ここで、iは各REGのインデックスを表し、0〜3の範囲の値を有し、各REGの開始REの位置は式（16）を用いて計算される。
【０１６９】
【数２４】
2020505888.tif 000026
【０１７０】
z（p）（0）〜z（p）（3）がマッピングされるリソース要素グループは、式（16）〜式（19）に基づいて計算され得る。
【０１７１】
【数２５】
2020505888.tif 000027
【０１７２】
ここで、
【数２６】
2020505888.tif 000028
であり、
【数２７】
2020505888.tif 000029
はセル識別情報であり、
【数２８】
2020505888.tif 000030
はシステム帯域幅であり、
【数２９】
2020505888.tif 000031
はリソースブロック内のキャリアの量である。
【０１７３】
前述の内容から、従来技術では、所与のセルおよび所与のダウンリンクシステム帯域幅について、PCFICHは固定リソースにマッピングされ、PCFICHリソース構成は柔軟性がないことが分かる。
【０１７４】
この観点から、本願の実施形態は通信方法を提供する。端末は、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。端末は、周波数領域リソース開始値によって示されるリソース上の物理チャネルを受信する。ネットワークデバイスは、物理チャネルの周波数領域リソース開始値を示すために使用される構成情報を端末に送信し、端末は、周波数領域リソース開始値によって示されるリソース上の物理チャネルを受信するので、物理チャネルがより柔軟に構成され得る。
【０１７５】
図5は、本願による通信方法の実施形態2のシグナリングフローチャートである。図5に示すように、図1に示すシステムアーキテクチャに基づいて、この実施形態における方法は以下のステップを含むことができる。
【０１７６】
ステップ501：端末が、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。
【０１７７】
この実施形態では、物理チャネルは、物理ダウンリンク制御チャネル（Physical Downlink Control Channel、PDCCH）とは異なる新たな物理ダウンリンクチャネルであってもよいし、あるいはDCIであってもよい。物理チャネルの特定の形態は、本明細書ではこの実施形態において限定されない。周波数領域リソース開始値は、周波数領域リソースオフセットまたは周波数領域リソース開始位置とも呼ばれ、例えば、最も低いPRBインデックスであってもよい。さらに、伝送単位は、時間領域構造であり、サブフレーム、スロット、ミニスロット、集約スロット、集約ミニスロットなどである。
【０１７８】
以下では、ネットワークデバイスが物理チャネルの周波数領域リソース開始値を決定する特定のプロセスを詳細に説明する。
【０１７９】
図6は、物理チャネルのリソースマッピングの概略図である。図6に示すように、物理チャネルが比較的少量の情報ビット（例えば、2ビット）を搬送する場合、ネットワークデバイスは、物理チャネルを示すために使用される周波数領域リソース開始値を端末に送信する。さらに、スロット構造の2ビットの指示情報を処理することにより得られた16個の変調されたシンボルは、4つのグループz（0）、…、z（3）にグループ化され、制御リソースサブセットが位置する周波数帯域に均等に分配される。
【数３０】
2020505888.tif 000032
である場合には、周波数領域リソース開始値z（0）、…、z（3）は、それぞれ式（20）〜式（23）に基づいて計算される。
【０１８０】
【数３１】
2020505888.tif 000033
【０１８１】
ここで、Noffsetは周波数領域リソースの開始値である。
【０１８２】
任意選択で、端末がネットワークデバイスによって送信された構成情報を受信することは、端末が、ネットワークデバイスによって送信されたブロードキャストシグナリングまたは上位レイヤシグナリングを受信することを含む。ブロードキャストシグナリングまたは上位レイヤシグナリングは構成情報を含む。
【０１８３】
具体的には、ブロードキャストシグナリングは、例えば、MIBメッセージであってもよい。上位レイヤシグナリングは、例えば、SIBメッセージまたはユーザ固有のRRCメッセージであってもよい。ネットワークデバイスは、ブロードキャストシグナリングまたは上位レイヤシグナリングを使用することによって構成情報を端末に送信するので、いくらかのユーザが構成情報を検出することができる。
【０１８４】
任意選択で、物理チャネルがマッピングされる周波数領域リソースは、セル識別情報および制御リソースサブセットに対応する帯域幅のうちの1つまたは複数に基づいて決定される。具体的には、セル識別情報は、セルについて半静的または静的に構成された識別情報であってもよく、例えば、PCIであってもよい。さらに、制御リソースサブセットは、予め定義された帯域幅のサブバンド帯域幅である。
【０１８５】
任意選択で、物理チャネルがマッピングされる時間領域リソースは、伝送単位の第1のシンボルである。
【０１８６】
任意選択で、制御リソースサブセットは共通ダウンリンク制御情報を送信するために使用され、共通ダウンリンク制御情報はシステムメッセージブロックSIB、ランダムアクセス応答RAR、およびページングメッセージのうちの少なくとも1つの構成情報を含む。
【０１８７】
任意選択で、制御リソースサブセットは、ユーザグループ固有のダウンリンク制御情報および／またはユーザ固有のダウンリンク制御情報を送信するために使用される。具体的には、物理チャネルは、共通探索空間／ユーザグループ固有の探索空間が位置する制御リソースサブセットにマッピングされるので、ユーザは共通探索空間を検出するときに物理チャネルを検出することができる。共通探索空間は共通ダウンリンク制御情報を送信するために使用され、セル内のすべてのユーザは共通ダウンリンク制御情報を受信する必要がある。ユーザグループ固有の探索空間は、ユーザグループ固有のダウンリンク制御情報を送信するために使用され、セル内の1人または複数のユーザは、ユーザグループ固有のダウンリンク制御情報を受信する必要がある。
【０１８８】
さらに、制御リソースサブセットは、ユーザグループ固有のダウンリンク制御情報のみを送信するために使用されてもよいし、または、制御リソースサブセットは、ユーザ固有のダウンリンク制御情報のみを送信するために使用されてもよいし、または、制御リソースのサブセットは、ユーザグループ固有のダウンリンク制御情報およびユーザ固有のダウンリンク制御情報を送信するために使用されてもよい。
【０１８９】
任意選択で、周波数領域リソース開始値は、制御リソースサブセットに対応する最も低いPRBインデックスである。
【０１９０】
任意選択で、物理チャネルをリソースにマッピングするステップは、物理チャネルに対応する情報ビットのチャネルコーディングを実行するステップと、コーディングしたビットをスクランブルするステップであって、スクランブリングシーケンスは、セル識別情報および伝送単位インデックスを使用することにより決定される、ステップと、スクランブルされたビットを変調するステップと、変調されたシンボルをリソースにマッピングするステップと、を含む。
【０１９１】
具体的には、物理チャネルの物理レイヤ処理プロセスは、最初に、32ビットのコードワードを取得するために、物理チャネルに対応する情報ビット、例えばスロット伝送単位内の2ビットの指示情報に対して1／16のコードレートでチャネルコーディングを実行するステップと、次に、セル識別情報および伝送単位インデックスを使用することにより決定されたスクランブルシーケンスを使用することにより、32ビットコードワードをスクランブルするステップと、次に、16個の変調されたシンボルを取得するために、32ビットのスクランブルされたコードワードでQPSK変調を実行するステップと、16個の変調されたシンボルを、制御リソースサブセットが位置する周波数帯域にマッピングするするステップと、を含む。
【０１９２】
任意選択で、リソースは、ダウンリンク制御チャネル上のK個の予め定義されたダウンリンクCCEに対応するリソース内にある。
【０１９３】
任意選択で、K個のCCEはダウンリンク制御チャネルの最初のK個のCCEである。
【０１９４】
具体的には、物理チャネルの有無がユーザによる制御チャネルのブラインド検出への影響を最小限に抑えることを保証するために、変調されたシンボルは、可能な限り、制御リソースサブセット内のいくつかの予め定義されたCCEにさらに集中的にマッピングされてもよい。例えば、1つのCCEが4つのREGを占有すると仮定する。CCEが単一のシンボルにマッピングされる場合には、16個の変調されたシンボルは制御リソースサブセット内の1つの予め定義されたCCE内の2つまたは4つのREGにマッピングされる。CCEが複数のシンボル（2つのシンボル）にマッピングされる場合には、16個の変調されたシンボルは、制御リソースサブセット内の1つの予め定義されたCCE内の2つのREGにマッピングされるか、または2つの予め定義されたCCEの各々の最初の2つのREGに別々にマッピングされる。なお、所与の伝送単位が物理チャネルを含まないことが端末に指示されない限り、物理チャネルに対応するCCEは一般にダウンリンク制御情報を含まないことに留意されたい。
【０１９５】
任意選択で、物理チャネルに対応する情報はダウンリンク制御情報であり、ダウンリンク制御情報はダウンリンク制御チャネルで搬送され、ダウンリンク制御情報はダウンリンク制御チャネルの共通探索空間および／またはユーザグループ探索空間に位置する。
【０１９６】
任意選択で、物理チャネルに対応する情報はL個のCCEで搬送され、Lは予め定義された数であり、L個のCCEのうちの最も低いCCEインデックスは予め定義され、候補セットの数は1である。
【０１９７】
任意選択で、最も低いCCEインデックスは、共通探索空間の最初のCCEのインデックスである。
【０１９８】
任意選択で、CCEインデックスはユーザグループ探索空間の最初のCCEのインデックスである。
【０１９９】
具体的には、物理チャネルが比較的大量の情報ビット（例えば、25ビット）を伝送する場合、物理チャネルは本質的に共通のDCIまたはユーザグループ固有のDCIである。この場合、ユーザによるブラインド検出の複雑さを軽減するために、物理チャネルはいくつかの予め定義された連続したCCEにマッピングされてもよい。ここでいう「予め定義された」とは、CCE量とCCEインデックスの両方が予め定義されていることを意味する。言い換えれば、情報を搬送するダウンリンク制御情報に使用される開始CCEは予め定義されており、集約レベルLは予め定義され、候補セットの数は1である。例えば、25ビットの情報は、最初のCCEから始まる制御リソースサブセットの4つのCCEにマッピングされる（集約レベルが4で、巡回冗長検査（Cyclic Redundancy Check）が24ビットであり、QPSK変調が実行されることが仮定される）。
【０２００】
ステップ502：ネットワークデバイスは、周波数領域リソース開始値によって示されるリソース上の物理チャネルを送信する。
【０２０１】
この実施形態では、物理チャネルの周波数領域リソース開始値を示すために使用される構成情報を端末に送信した後に、ネットワークデバイスは、周波数領域リソース開始値によって示されるリソース上の物理チャネルを送信する。ネットワークデバイスによって送信された構成情報を受信した後に、端末は、周波数領域リソース開始値によって示されるリソース上の物理チャネルを受信する。
【０２０２】
さらに、この実施形態では、物理チャネルは、制御リソースサブセットが位置する周波数帯域内に構成される。このように、既存のPCFICHとは異なり、この実施形態における物理チャネルのためのリソースは、制御リソースサブセットが位置する周波数帯域内のみにある。さらに、周波数領域リソースの開始値は準静的に構成され、準静的な周波数領域リソースの開始値は、制御リソースのサブセットが位置する周波数帯域の最も低いPRBインデックスと同じであってもよいし、または、独立に構成された値であってもよい。
【０２０３】
本願のこの実施形態で提供される通信方法では、端末は、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。端末は、周波数領域リソース開始値によって示されるリソース上の物理チャネルを受信する。ネットワークデバイスは、物理チャネルの周波数領域リソース開始値を示すために使用される構成情報を端末に送信し、端末は、周波数領域リソース開始値によって示されるリソース上の物理チャネルを受信するので、物理チャネルがより柔軟に構成され得る。
【０２０４】
図7は、本願による通信方法の実施形態3のシグナリングフローチャートである。図7に示すように、図1に示すシステムアーキテクチャに基づいて、この実施形態における方法は以下のステップを含むことができる。
【０２０５】
ステップ701：端末がネットワークデバイスによって送信されたDCIを受信する。DCIは構成情報を含み、構成情報はシステム帯域幅を示すために使用される。
【０２０６】
この実施形態では、ネットワークデバイスは、データサービスの量に基づいてシステム帯域幅を決定することができる。例えば、ネットワーク内に比較的少量のデータサービスがある場合には、比較的小さいシステム帯域幅が使用され、ネットワーク内に比較的大量のデータサービスがある場合には、比較的大きなシステム帯域幅が使用される。ネットワークデバイスは、ネットワークデバイスによって決定されたシステム帯域幅を端末に示すために、構成情報をDCIに追加し、DCIを端末に送信することができる。さらに、システム帯域幅を決定した後に、ネットワークデバイスは、新たに決定された帯域幅上の次のスロットで端末と通信し、例えば、新しい帯域幅に関するデータおよび制御情報を送信する。
【０２０７】
さらに、システム帯域幅は、いくつかの異なるサイズを有するものとして予め定義されてもよい。例えば、システム帯域幅は、表1に示す8つのサイズを有するように予め定義されてもよい。この場合、選択されたシステム帯域幅は、3ビットを使用することによってDCIによって示され得る。
【０２０８】
【表１】
2020505888.tif 000034
【０２０９】
任意選択で、図8はDCIの概略構成図である。図8に示すように、制限粒度のサイズは、例えば、30ビット、60ビット、または90ビットであってもよい。ヘッダの値が00であれば、それはダウンリンク割り当てを示す。ヘッダの値が01であれば、それはアップリンク許可を示す。ヘッダの値が10であれば、それは再構成などを示す。情報は、リソース割り当て、変調およびコーディング方式（Modulation and Coding Scheme、MCS）、ハイブリッド自動再送要求（Hybrid Automatic Repeat reQuest、HARQ）パラメータなどを示すことができる。
【０２１０】
DCIに対するブラインド検出の回数を減らすために、NRはいくつかのDCI payloadサイズをサポートする。同じDCI payloadサイズを維持するには、いくつかの冗長ビットが必要である。この場合、DCIは他の一般的なDCIの冗長ビットによって搬送されてもよい。
【０２１１】
任意選択で、RRCアイドルモードにある場合、UEは、共通探索空間内での検出を通じてセル接続を完了する必要がある。しかしながら、共通探索空間は柔軟なダウンリンク帯域幅に応じて構成される。したがって、柔軟なダウンリンク帯域幅は、MIBを使用することにより示す必要がある。3GPPの議論によれば、現在、以下の2つの可能性がある。
【０２１２】
第1：MIBは第1のシステム帯域幅の構成情報のみを含む。実際の用途では、次の方法が実施のために使用され得る。
MasterInformationBlock ::=   SEQUENCE {
dl-FlexBandwidth            ENUMERATED {
n6, n15, n25, n50, n75, n100, n200, n400},
......
}
【０２１３】
第2：MIBは、第1のシステム帯域幅の構成情報と第2のシステム帯域幅の構成情報とを含む。第1のシステム帯域幅および第2のシステム帯域幅は、異なる物理チャネルまたは物理信号に対するリソースを決定するために使用され得る。実際の用途では、次の方法が実施のために使用され得る。
MasterInformationBlock ::=   SEQUENCE {
dl-Bandwidth               ENUMERATED {
n6, n15, n25, n50, n75, n100, n200, n400},
dl_FlexBandwidth            ENUMERATED {
n6, n15, n25, n50, n75, n100, n200, n400},
......
}
【０２１４】
任意選択で、本方法は、能力情報を送信するステップをさらに含む。能力情報は、端末がシステム帯域幅をサポートしていることを示すために使用される。
【０２１５】
具体的には、端末は、初期アクセスプリアンブル（メッセージ1）またはメッセージ3を用いることによって端末の能力情報を報告することができる。ネットワークデバイスは、端末によって報告された能力情報に基づいて、システムサービス帯域幅のサイズを決定するためにデータサービスの量に基づいて帯域幅を柔軟に構成するかどうかを決定する。能力情報は、端末がシステム帯域幅をサポートしていることを示すために使用される。能力情報は、端末によってサポートされ得る1つまたは複数の帯域幅とシステムパラメータセットとを含む。システムパラメータセットは、サブキャリア間隔のサイズ、サイクリックプレフィックスの長さ、送信時間間隔の長さ、シンボルの長さ、およびシンボルの量などの1つまたは複数のパラメータを含む。
【０２１６】
ステップ702：端末がシステム帯域幅を使用することにより通信する。
【０２１７】
この実施形態では、ネットワークデバイスによって送信され、システム帯域幅を示すために使用される構成情報を受信した後に、端末は、ネットワークデバイスによって示されるシステム帯域幅に基づいて通信する。
【０２１８】
本願のこの実施形態で提供される通信方法では、端末は、ネットワークデバイスによって送信されたDCIを受信する。DCIは構成情報を含み、構成情報はシステム帯域幅を示すために使用される。端末はシステム帯域幅を使用することにより通信する。したがって、システム帯域幅はより柔軟に決定され得る。
【０２１９】
図9は、本願による通信装置の実施形態1の概略構成図である。装置は端末上に位置してもよい。図9を参照すると、装置は、第1の受信モジュール901と第2の受信モジュール902とを含む。
【０２２０】
第1の受信モジュール901は、ネットワークデバイスによって送信された構成情報を受信するように構成されている。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。
【０２２１】
第2の受信モジュール902は、構成情報により示されたリソースに関する共通制御情報を受信するように構成される。
【０２２２】
この実施形態では、第1の受信モジュール901は、ネットワークデバイスにより送信された構成情報を受信し、第2の受信モジュール902は、構成情報により示されるリソースに関する共通制御情報を受信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、端末が構成情報によって示されたリソースに関する共通制御情報を受信することを可能にするので、共通探索空間を決定する方法はより柔軟になり得る。
【０２２３】
さらに、第1の受信モジュール901は、ネットワークデバイスによって送信されたマスタシステム情報ブロックMIBメッセージを受信するように構成される。MIBメッセージは構成情報を含む。
【０２２４】
任意選択で、共通制御情報は、システムメッセージブロックSIB、ランダムアクセス応答RAR、およびページングメッセージのうちの少なくとも1つの構成情報を含む。
【０２２５】
任意選択で、構成情報は候補リソースのインデックスを含む。
【０２２６】
任意選択で、構成情報は、リソースの周波数領域リソース開始値を示すために使用される。
【０２２７】
任意選択で、共通制御情報はダウンリンク制御情報DCIを含み、DCIは伝送単位のフォーマットを示すために使用され、および／または伝送単位内の物理ダウンリンク制御領域内のシンボルの量を示すために使用される。
【０２２８】
任意選択で、共通制御情報はダウンリンク制御情報DCIを含み、DCIは構成情報を含み、構成情報はシステム帯域幅を示すために使用される。
【０２２９】
任意選択で、図9に示すように、装置はトリガモジュール903をさらに含む。
【０２３０】
トリガモジュール903は、システム帯域幅を使用することによって通信するために端末をトリガするように構成される。
【０２３１】
前述の装置は、前述の対応する方法の実施形態で提供される方法を実行するように構成することができる。装置の特定の実施態様および技術的効果は、本方法のものと同様である。ここでは詳細については再度の説明を省略する。
【０２３２】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中に、受信モジュールは、別々に配置された処理要素であってもよいし、または端末のチップに統合されてもよい。あるいは、受信モジュールは、受信モジュールの機能を実行するために端末の処理要素によって起動されるプログラムとして端末のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、受信モジュールは受信制御モジュールであり、端末のアンテナや無線周波数装置などの受信装置を用いて基地局から送信された情報を受信することができる。
【０２３３】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２３４】
図10は、本願による通信装置の実施形態2の概略構成図である。装置はネットワークデバイスに位置してもよい。図10を参照すると、装置は、第1の送信モジュール1001と第2の送信モジュールとを含む。
【０２３５】
第1の送信モジュール1001は構成情報を送信するように構成される。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。
【０２３６】
第2の送信モジュール1002は、構成情報によって示されたリソースに関する共通制御情報を送信するように構成される。
【０２３７】
この実施形態では、第1の送信モジュール1001が構成情報を送信する。構成情報は、共通探索空間の複数の候補リソース内のリソースを示すために使用され、共通探索空間の候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される。第2の送信モジュール1002は、構成情報によって示されたリソースに関する共通制御情報を送信する。ネットワークデバイスは、セル識別情報、ダウンリンク帯域幅、同期チャネルの周波数領域リソースロケーション、およびブロードキャストチャネルの周波数領域リソースロケーションのうちの1つまたは複数に基づいて、共通探索空間の候補リソースを決定し、構成情報によって示されたリソースに関する共通制御情報を送信するので、共通探索空間を決定する方法はより柔軟になり得る。
【０２３８】
任意選択で、第1の送信モジュール1001は、マスタシステム情報ブロックMIBメッセージを送信するように構成される。MIBメッセージは構成情報を含む。
【０２３９】
任意選択で、共通制御情報は、システムメッセージブロックSIB、ランダムアクセス応答RAR、およびページングメッセージのうちの少なくとも1つの構成情報を含む。
【０２４０】
任意選択で、構成情報は候補リソースのインデックスを含む。
【０２４１】
任意選択で、構成情報は、リソースの周波数領域リソース開始値を示すために使用される。
【０２４２】
任意選択で、共通制御情報はダウンリンク制御情報DCIを含み、DCIは伝送単位のフォーマットを示すために使用され、および／または伝送単位内の物理ダウンリンク制御領域内のシンボルの量を示すために使用される。
【０２４３】
任意選択で、共通制御情報はダウンリンク制御情報DCIを含み、DCIは構成情報を含み、構成情報はシステム帯域幅を示すために使用される。
【０２４４】
前述の装置は、前述の対応する方法の実施形態で提供される方法を実行するように構成することができる。装置の特定の実施態様および技術的効果は、本方法のものと同様である。ここでは詳細については再度の説明を省略する。
【０２４５】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中に、第1の送信モジュールは、別々に配置された処理要素であってもよいし、または基地局のチップに統合されてもよい。あるいは、第1の送信モジュールは、第1の送信モジュールの機能を実行するために基地局の処理要素によって起動されるプログラムとして基地局のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、第1の送信モジュールは送信制御モジュールであり、基地局のアンテナや無線周波数装置などの送信装置を使用して端末に情報を送信することができる。第2の送信モジュールも同様である。
【０２４６】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２４７】
図11は、本願による通信装置の実施形態3の概略構成図である。装置は端末上に位置してもよい。図11を参照すると、装置は、第1の受信モジュール1101と第2の受信モジュール1102とを含む。
【０２４８】
第1の受信モジュール1101は、ネットワークデバイスによって送信された構成情報を受信するように構成されている。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。
【０２４９】
第2の受信モジュール1102は、周波数領域リソース開始値によって示されるリソース上の物理チャネルを受信するように構成される。
【０２５０】
この実施形態では、第1の受信モジュール1101は、ネットワークデバイスによって送信された構成情報を受信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。第2の受信モジュール1102は、周波数領域リソース開始値によって示されるリソース上の物理チャネルを受信する。ネットワークデバイスは、物理チャネルの周波数領域リソース開始値を示すために使用される構成情報を端末に送信し、端末は、周波数領域リソース開始値によって示されるリソース上の物理チャネルを受信するので、物理チャネルがより柔軟に構成され得る。
【０２５１】
任意選択で、ネットワークデバイスにより送信された構成情報を端末によって受信するステップは、ネットワークデバイスによって送信されたブロードキャストシグナリングまたは上位レイヤシグナリングを受信するステップを含む。ブロードキャストシグナリングまたは上位レイヤシグナリングは構成情報を含む。
【０２５２】
任意選択で、物理チャネルがマッピングされる周波数領域リソースは、セル識別情報および制御リソースサブセットに対応する帯域幅のうちの1つまたは複数に基づいて決定される。
【０２５３】
任意選択で、制御リソースサブセットは共通ダウンリンク制御情報を送信するために使用され、共通ダウンリンク制御情報はシステムメッセージブロックSIB、ランダムアクセス応答RAR、およびページングメッセージのうちの少なくとも1つの構成情報を含む。
【０２５４】
任意選択で、制御リソースサブセットは、ユーザグループ固有のダウンリンク制御情報および／またはユーザ固有のダウンリンク制御情報を送信するために使用される。
【０２５５】
任意選択で、周波数領域リソース開始値は、制御リソースサブセットに対応する最も低いPRBインデックスである。
【０２５６】
任意選択で、物理チャネルをリソースにマッピングするステップは、物理チャネルに対応する情報ビットのチャネルコーディングを実行するステップと、コーディングしたビットをスクランブルするステップであって、スクランブリングシーケンスは、セル識別情報および伝送単位インデックスを使用することにより決定される、ステップと、スクランブルされたビットを変調するステップと、変調されたシンボルをリソースにマッピングするステップと、を含む。
【０２５７】
任意選択で、リソースは、ダウンリンク制御チャネル上のK個の予め定義されたダウンリンクCCEに対応するリソースである。K個のCCEは、ダウンリンク制御チャネルの最初のK個のCCEである。
【０２５８】
任意選択で、物理チャネルに対応する情報はダウンリンク制御情報であり、ダウンリンク制御情報はダウンリンク制御チャネルで搬送され、ダウンリンク制御情報はダウンリンク制御チャネルの共通探索空間および／またはユーザグループ探索空間に位置する。
【０２５９】
任意選択で、物理チャネルに対応する情報はL個のCCEで搬送され、Lは予め定義された数であり、L個のCCEのうちの最も低いCCEインデックスは予め定義されている。言い換えれば、情報を搬送するダウンリンク制御情報に使用される開始CCEは予め定義されており、集約レベルLは予め定義され、候補セットの数は1である。
【０２６０】
任意選択で、最も低いCCEインデックスは、共通探索空間の最初のCCEのインデックスである。
【０２６１】
任意選択で、CCEインデックスはユーザグループ探索空間の最初のCCEのインデックスである。
【０２６２】
前述の装置は、前述の対応する方法の実施形態で提供される方法を実行するように構成することができる。装置の特定の実施態様および技術的効果は、本方法のものと同様である。ここでは詳細については再度の説明を省略する。
【０２６３】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中、第1の受信モジュールは、別々に配置された処理要素であってもよいし、または端末のチップに統合されてもよい。あるいは、第1の受信モジュールは、第1の受信モジュールの機能を実行するために端末の処理要素によって起動されるプログラムとして端末のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、受信モジュールは受信制御モジュールであり、端末のアンテナや無線周波数装置などの受信装置を用いて基地局から送信された情報を受信することができる。
【０２６４】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２６５】
図12は、本願による通信装置の実施形態4の概略構成図である。装置はネットワークデバイスに位置してもよい。図12を参照すると、装置は、第1の送信モジュール1201と第2の送信モジュール1202とを含む。
【０２６６】
第1の送信モジュール1201は構成情報を送信するように構成される。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。
【０２６７】
第2の送信モジュール1202は、周波数領域リソース開始値によって示されるリソース上の物理チャネルを送信するように構成される。
【０２６８】
この実施形態では、第1の送信モジュール1201が構成情報を送信する。構成情報は、物理チャネルの周波数領域リソース開始値を示すために使用され、物理チャネルは、伝送単位のフォーマットを示すために使用され、および／または伝送単位内の物理ダウンリンク制御領域内のシンボルの量を示すために使用される。第2の送信モジュール1202は、周波数領域リソース開始値によって示されるリソース上の物理チャネルを送信する。ネットワークデバイスは、物理チャネルの周波数領域リソース開始値を示すために使用される構成情報を端末に送信し、周波数領域リソース開始値によって示されるリソース上の物理チャネルを送信するので、物理チャネルがより柔軟に構成され得る。
【０２６９】
任意選択で、構成情報をネットワークデバイスによって送信するステップは、ブロードキャストシグナリングまたは上位レイヤシグナリングをネットワークデバイスによって送信するステップを含む。ブロードキャストシグナリングまたは上位レイヤシグナリングは構成情報を含む。
【０２７０】
任意選択で、物理チャネルがマッピングされる周波数領域リソースは、セル識別情報および制御リソースサブセットに対応する帯域幅のうちの1つまたは複数に基づいて決定される。
【０２７１】
任意選択で、制御リソースサブセットは共通ダウンリンク制御情報を送信するために使用され、共通ダウンリンク制御情報はシステムメッセージブロックSIB、ランダムアクセス応答RAR、およびページングメッセージのうちの少なくとも1つの構成情報を含む。
【０２７２】
任意選択で、制御リソースサブセットは、ユーザグループ固有のダウンリンク制御情報および／またはユーザ固有のダウンリンク制御情報を送信するために使用される。
【０２７３】
任意選択で、周波数領域リソース開始値は、制御リソースサブセットに対応する最も低いPRBインデックスである。
【０２７４】
任意選択で、物理チャネルをリソースにマッピングするステップは、物理チャネルに対応する情報ビットのチャネルコーディングを実行するステップと、コーディングしたビットをスクランブルするステップであって、スクランブリングシーケンスは、セル識別情報および伝送単位インデックスを使用することにより決定される、ステップと、スクランブルされたビットを変調するステップと、変調されたシンボルをリソースにマッピングするステップと、を含む。
【０２７５】
任意選択で、リソースは、ダウンリンク制御チャネル上のK個の予め定義されたダウンリンクCCEに対応するリソースである。K個のCCEは、ダウンリンク制御チャネルの最初のK個のCCEである。
【０２７６】
任意選択で、物理チャネルに対応する情報はダウンリンク制御情報であり、ダウンリンク制御情報はダウンリンク制御チャネルで搬送され、ダウンリンク制御情報はダウンリンク制御チャネルの共通探索空間および／またはユーザグループ探索空間に位置する。
【０２７７】
任意選択で、物理チャネルに対応する情報はL個のCCEで搬送され、Lは予め定義された数であり、L個のCCEのうちの最も低いCCEインデックスは予め定義されている。言い換えれば、情報を搬送するダウンリンク制御情報に使用される開始CCEは予め定義されており、集約レベルLは予め定義され、候補セットの数は1である。
【０２７８】
任意選択で、最も低いCCEインデックスは、共通探索空間の最初のCCEのインデックスである。
【０２７９】
任意選択で、CCEインデックスはユーザグループ探索空間の最初のCCEのインデックスである。
【０２８０】
前述の装置は、前述の対応する方法の実施形態で提供される方法を実行するように構成することができる。装置の特定の実施態様および技術的効果は、本方法のものと同様である。ここでは詳細については再度の説明を省略する。
【０２８１】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中に、第1の送信モジュールは、別々に配置された処理要素であってもよいし、または基地局のチップに統合されてもよい。あるいは、第1の送信モジュールは、第1の送信モジュールの機能を実行するために基地局の処理要素によって起動されるプログラムとして基地局のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、第1の送信モジュールは送信制御モジュールであり、基地局のアンテナや無線周波数装置などの送信装置を使用して端末に情報を送信することができる。第2の送信モジュールも同様である。
【０２８２】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２８３】
図13は、本願による通信装置の実施形態5の概略構成図である。装置は端末上に位置してもよい。図13を参照すると、装置は、受信モジュール1301とトリガモジュール1302とを含む。
【０２８４】
受信モジュール1301は、ネットワークデバイスによって送信されたDCIを受信するように構成される。DCIは構成情報を含み、構成情報はシステム帯域幅を示すために使用される。
【０２８５】
トリガモジュール1302は、システム帯域幅を使用することによって通信するために端末をトリガするように構成される。
【０２８６】
この実施形態では、受信モジュール1301は、ネットワークデバイスによって送信されたDCIを受信する。DCIは構成情報を含み、構成情報はシステム帯域幅を示すために使用される。トリガモジュール1302はシステム帯域幅を使用することにより通信する。ネットワークデバイスは利用可能なシステム帯域幅を端末に示し、端末はネットワークデバイスによって示されたシステム帯域幅に基づいて通信するので、システム帯域幅はより柔軟に決定され得る。
【０２８７】
任意選択で、本方法は、能力情報を送信するステップをさらに含む。能力情報は、端末がシステム帯域幅をサポートしていることを示すために使用される。
【０２８８】
前述の装置は、前述の対応する方法の実施形態で提供される方法を実行するように構成することができる。装置の特定の実施態様および技術的効果は、本方法のものと同様である。ここでは詳細については再度の説明を省略する。
【０２８９】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中に、トリガモジュールは、別々に配置された処理要素であってもよいし、または端末のチップに統合されてもよい。あるいは、トリガモジュールは、トリガモジュールの機能を実行するために端末の処理要素によって起動されるプログラムとして端末のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、受信モジュールは受信制御モジュールであり、端末のアンテナや無線周波数装置などの受信装置を用いて基地局から送信された情報を受信することができる。
【０２９０】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２９１】
図14は、本願による通信装置の実施形態6の概略構成図である。装置はネットワークデバイスに位置してもよい。図14を参照すると、装置は、送信モジュール1401とトリガモジュール1402とを含む。
【０２９２】
送信モジュール1401は、DCIを端末に送信するように構成される。DCIは構成情報を含み、構成情報はシステム帯域幅を示すために使用される。
【０２９３】
トリガモジュール1402は、システム帯域幅を使用することによって基地局に端末と通信するようにトリガするように構成される。
【０２９４】
この実施形態では、ネットワークデバイスは端末にDCIを送信する。DCIは構成情報を含み、構成情報はシステム帯域幅を示すために使用される。ネットワークデバイスは、システム帯域幅を使用することによって端末と通信する。ネットワークデバイスは、利用可能なシステム帯域幅を端末に示し、システム帯域幅を用いることにより端末と通信するので、システム帯域幅はより柔軟に決定され得る。
【０２９５】
任意選択で、本方法は、能力情報を送信するステップをさらに含む。能力情報は、端末がシステム帯域幅をサポートしていることを示すために使用される。
【０２９６】
前述の装置は、前述の方法の実施形態で提供される方法を実行するように構成され得る。装置の特定の実施態様および技術的効果は、本方法のものと同様である。ここでは詳細については再度の説明を省略する。
【０２９７】
前述の通信装置のモジュールの分割は単に論理機能の分割であることを理解されたい。実際の実施態様では、モジュールの全部または一部を物理的実体に統合してもよく、あるいは物理的に分離してもよい。さらに、これらのモジュールは、処理要素によって起動されるソフトウェアの形ですべて実施されてもよく、またはハードウェアの形ですべて実施されてもよいし、あるいはいくつかのモジュールが処理要素によって起動されるソフトウェアの形で実施されてもよく、いくつかのモジュールがハードウェアの形で実施されてもよい。例えば、実施中に、送信モジュールは、別々に配置された処理要素であってもよいし、または装置のチップに統合されてもよい。あるいは、送信モジュールは、送信モジュールの機能を実行するために装置の処理要素によって起動されるプログラムとして装置のメモリに格納されてもよい。別のモジュールの実施態様も同様である。さらに、これらのモジュールの全部または一部を統合してもよく、または別々に実施してもよい。本明細書の処理要素は、信号処理能力を有する集積回路であってもよい。実施プロセスでは、前述の方法または前述のモジュールのステップは、プロセッサ要素内のハードウェア集積論理回路またはソフトウェアの形の命令を使用することによって完了することができる。さらに、送信モジュールは送信制御モジュールであり、基地局のアンテナや無線周波数装置などの送信装置を使用して端末に情報を送信することができる。
【０２９８】
前述のモジュールは、前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。別の例では、前述のモジュールのうちの1つがプログラムをスケジューリングすることによって処理要素によって実施される場合、処理要素は、汎用プロセッサ、例えば中央処理装置（Central Processing Unit、CPU）またはプログラムを起動することができる別のプロセッサであってもよい。別の例では、これらのモジュールは統合され、システムオンチップ（system-on-a-chip、SOC）の形で実装されてもよい。
【０２９９】
図15は、本願の一実施形態による端末の概略構成図である。図15を参照すると、端末は、プロセッサ110、メモリ120、およびトランシーバ装置130を含む。トランシーバ装置130はアンテナに接続されてもよい。ダウンリンク方向では、トランシーバ装置130は、アンテナを使用することによって、ネットワークデバイスによって送信された情報を受信し、処理のためにその情報をプロセッサ110に送信する。アップリンク方向では、プロセッサ110は端末のデータを処理し、トランシーバ装置130を使用することによって端末のデータをネットワークデバイスに送信する。
【０３００】
メモリ120は、前述の方法の実施形態、または図9、図11、もしくは図13に示す実施形態におけるモジュールを実施するためのプログラムを格納するように構成される。プロセッサ110は、プログラムを起動して、前述の方法の実施形態における動作を実行し、図9、図11、または図13に示すモジュールを実装する。
【０３０１】
あるいは、前述のユニットのう一部または全部は、端末のチップ内の集積回路として埋め込まれてもよい。さらに、それらは別々に実施されてもよく、または統合されてもよい。言い換えれば、前述のユニットは、前述の方法を実施するための1つまたは複数の集積回路、例えば1つまたは複数の特定用途向け集積回路（Application-Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。
【０３０２】
図16は、本願の一実施形態によるアクセスネットワークデバイスの概略構成図である。図16を参照すると、ネットワークデバイスは、アンテナ110、無線周波数装置120、およびベースバンド装置130を含む。アンテナ110は無線周波数装置120に接続されている。アップリンク方向では、無線周波数装置120は、アンテナ110を使用することによって、端末によって送信された情報を受信し、端末によって送信された情報を処理のためにベースバンド装置130に送信する。ダウンリンク方向では、ベースバンド装置130は、端末に関する情報を処理し、端末に関する情報を無線周波数装置120に送信し、無線周波数装置120は、端末に関する情報を処理し、次に、アンテナ110を使用することにより端末に関する情報を端末に送信する。
【０３０３】
前述の通信装置は、ベースバンド装置130上に位置してもよい。一実施態様では、前述のユニットは、プログラムをスケジューリングすることによって処理要素によって実施される。例えば、ベースバンド装置130は、処理要素131と記憶要素132とを含む。処理要素131は、記憶要素132に格納されているプログラムを起動して、前述の方法の実施形態における方法を実行する。さらに、ベースバンド装置130は、無線周波数装置120と情報を交換するように構成されたインターフェース133をさらに含むことができる。このインターフェースは、例えば、一般的な公衆無線インターフェース（common public radio interface、CPRI）である。
【０３０４】
別の実施態様では、前述のユニットは、前述の方法を実施するための1つまたは複数の処理要素として構成されてもよい。これらの処理要素は、ベースバンド装置130上に配置されている。本明細書の処理要素は、集積回路、例えば1つまたは複数のASIC、1つまたは複数のDSP、あるいは1つまたは複数のFPGAであってもよい。これらの集積回路は集積されてチップを形成してもよい。
【０３０５】
例えば、前述のユニットは統合され、システムオンチップ（system-on-a-chip、SOC）の形態で実装されてもよい。例えば、ベースバンド装置130は、前述の方法を実施するように構成されたSOCチップを含む。チップは、処理要素131および記憶要素132と統合されてもよく、処理要素131は、記憶要素132に格納されたプログラムを起動して、前述の方法または前述のユニットの機能を実施する。あるいは、チップは、前述の方法または前述のユニットの機能を実施するために、少なくとも1つの集積回路と統合されてもよい。あるいは、プログラムを起動することによっていくつかのユニットの機能が処理要素によって実施され、いくつかのユニットの機能が集積回路によって実施されるように、前述の実施態様が組み合わされてもよい。
【０３０６】
結論として、どの方法が使用されるかに関わらず、前述の通信装置は少なくとも1つの処理要素、記憶要素、および通信インターフェースを含む。少なくとも1つの処理要素は、前述の方法の実施形態で提供される方法を実行するように構成される。処理要素は、前述の方法の実施形態の一部または全部のステップを、第1の方法、すなわち、記憶要素に格納されたプログラムを実行する方法で実行してもよく、あるいは、前述の方法の実施形態の一部または全部のステップを、第2の方法、すなわち、命令と組み合わせてプロセッサ要素内のハードウェア集積論理回路を使用する方法で実行してもよく、あるいは、もちろん、第1の方法と第2の方法を組み合わせることにより、前述の方法の実施形態で提供される方法を実行してもよい。
【０３０７】
ここでの処理要素は、前述の説明のものと同じであり、汎用プロセッサ、例えば、中央処理装置（Central Processing Unit、CPU）であってもよく、あるいは前述の方法を実施するための1つまたは複数の集積回路、例えば1つまたは複数の特定用途向け集積回路（Application Specific Integrated Circuit、ASIC）、1つまたは複数のマイクロプロセッサ（digital signal processor、DSP）、あるいは1つまたは複数のフィールドプログラマブルゲートアレイ（Field Programmable Gate Array、FPGA）として構成されてもよい。
【０３０８】
記憶要素は、メモリであってもよいし、または複数の記憶要素の総称であってもよい。
【符号の説明】
【０３０９】
110  プロセッサ、アンテナ
120  メモリ、無線周波数装置
130  トランシーバ装置、ベースバンド装置
131  処理要素
132  記憶要素
133  インターフェース
901  第1の受信モジュール
902  第2の受信モジュール
903  トリガモジュール
1001  第1の送信モジュール
1002  第2の送信モジュール
1101  第1の受信モジュール
1102  第2の受信モジュール
1201  第1の送信モジュール
1202  第2の送信モジュール
1301  受信モジュール
1302  トリガモジュール
1401  送信モジュール
1402  トリガモジュール
【図１】
2020505888.tif 000035
【図２】
2020505888.tif 000036
【図３】
2020505888.tif 000037
【図４】
2020505888.tif 000038
【図５】
2020505888.tif 000039
【図６】
2020505888.tif 000040
【図７】
2020505888.tif 000041
【図８】
2020505888.tif 000042
【図９】
2020505888.tif 000043
【図１０】
2020505888.tif 000044
【図１１】
2020505888.tif 000045
【図１２】
2020505888.tif 000046
【図１３】
2020505888.tif 000047
【図１４】
2020505888.tif 000048
【図１５】
2020505888.tif 000049
【図１６】
2020505888.tif 000050
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
通信方法であって、
端末により、ネットワークデバイスによって送信された構成情報を受信するステップであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
前記端末により、前記構成情報によって示された前記リソースに関する共通制御情報を受信するステップと、
を含む方法。
【請求項２】
端末により、ネットワークデバイスによって送信された構成情報を受信する前記ステップは、
前記端末により、前記ネットワークデバイスによって送信されたマスタシステム情報ブロック（MIB）メッセージを受信するステップであって、前記MIBメッセージは前記構成情報を含む、ステップ
を含む、請求項1に記載の方法。
【請求項３】
前記共通制御情報は、システムメッセージブロック（SIB）、ランダムアクセス応答（RAR）、およびページングメッセージのうちの少なくとも1つの構成情報を含む、請求項1または2に記載の方法。
【請求項４】
前記構成情報は、前記候補リソースのインデックスを含む、請求項1から3のいずれか一項に記載の方法。
【請求項５】
前記構成情報は、前記リソースの周波数領域リソース開始値を示すために使用される、請求項1から4のいずれか一項に記載の方法。
【請求項６】
前記共通制御情報はダウンリンク制御情報（DCI）を含み、前記DCIは、伝送単位のフォーマットを示すために使用され、および／または前記伝送単位内の物理ダウンリンク制御領域内のシンボルの量を示すために使用される、請求項1から5のいずれか一項に記載の方法。
【請求項７】
前記共通制御情報はダウンリンク制御情報（DCI）を含み、前記DCIは構成情報を含み、前記構成情報はシステム帯域幅を示すために使用される、請求項1から6のいずれか一項に記載の方法。
【請求項８】
前記端末により、前記システム帯域幅を使用することによって通信するステップ
をさらに含む、請求項7に記載の方法。
【請求項９】
通信方法であって、
ネットワークデバイスにより、構成情報を送信するステップであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、ステップと、
前記ネットワークデバイスにより、前記構成情報によって示された前記リソースに関する共通制御情報を送信するステップと、
を含む方法。
【請求項１０】
ネットワークデバイスにより、構成情報を送信する前記ステップは、
前記ネットワークデバイスにより、マスタシステム情報ブロック（MIB）メッセージを送信するステップであって、前記MIBメッセージは前記構成情報を含む、ステップ
を含む、請求項9に記載の方法。
【請求項１１】
端末上に位置する通信装置であって、
ネットワークデバイスによって送信された構成情報を受信するように構成された第1の受信モジュールであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、第1の受信モジュールと、
前記構成情報によって示された前記リソースに関する共通制御情報を受信するように構成された第2の受信モジュールと、
を含む装置。
【請求項１２】
前記第1の受信モジュールは、前記ネットワークデバイスによって送信されたマスタシステム情報ブロック（MIB）メッセージを受信するように構成され、前記MIBメッセージは前記構成情報を含む、請求項11に記載の装置。
【請求項１３】
前記共通制御情報はダウンリンク制御情報（DCI）を含み、前記DCIは構成情報を含み、前記構成情報はシステム帯域幅を示すために使用され、
前記システム帯域幅を使用することによって通信するように前記端末をトリガするように構成されたトリガモジュール
をさらに含む、請求項11または12に記載の装置。
【請求項１４】
ネットワークデバイス上に位置する通信装置であって、
構成情報を送信するように構成された第1の送信モジュールであって、前記構成情報は、共通探索空間の複数の候補リソース内のリソースを示すために使用され、前記共通探索空間の前記候補リソースは、セル識別情報、ダウンリンク帯域幅、同期チャネルの周波数領域リソースロケーション、およびブロードキャストチャネルの周波数領域リソースロケーションのうちの1つまたは複数に基づいて決定される、第1の送信モジュールと、
前記構成情報によって示された前記リソースに関する共通制御情報を送信するように構成された第2の送信モジュールと、
を含む装置。
【請求項１５】
前記第1の送信モジュールは、マスタシステム情報ブロック（MIB）メッセージを送信するように構成され、前記MIBメッセージは前記構成情報を含む、請求項14に記載の装置。
【国際調査報告】
2020505888.tif 000051
2020505888.tif 000052
2020505888.tif 000053
2020505888.tif 000054